(57)【要約】【課題】液体中に溶解しているガスを有効利用することによって刺激感や洗浄力、あるいはガスが有する美容・健康促進効果などが十分に得られる吐水装置を提供することを目的とする。【解決手段】密閉空間を形成可能な密閉容器と、一端が前記密閉空間に連通可能であり他端が前記密閉空間外に連通可能である通水路と、前記通水路を開閉する開閉弁と、前記通水路の前記他端に設けられ、前記液体における気泡の含有比率を増加させる気液分離手段と、を備え、前記密閉空間内に貯留されガスにより加圧された液体を前記気液分離手段から吐出させることを特徴とする吐水装置を提供する。【選択図】　図１
2004000579.tif 000002
【特許請求の範囲】
【請求項１】
密閉空間を形成可能な密閉容器と、一端が前記密閉空間に連通可能であり他端が前記密閉空間外に連通可能である通水路と、
前記通水路を開閉する開閉弁と、
前記通水路の前記他端に設けられ、前記液体における気泡の含有比率を増加させる気液分離手段と、
を備え、
前記密閉空間内に貯留されガスにより加圧された液体を前記気液分離手段から吐出させることを特徴とする吐水装置。
【請求項２】
前記気液分離手段は、前記液体における前記気泡の合致を生じさせることを特徴とする請求項１記載の吐水装置。
【請求項３】
前記気液分離手段は、前記液体を撹拌させることにより、前記液体における気泡の含有比率を増加させることを特徴とする請求項１または２に記載の吐水装置。
【請求項４】
前記気液分離手段は、前記液体の乱流を形成することにより、前記液体における気泡の含有比率を増加させることを特徴とする請求項１または２に記載の吐水装置。
【請求項５】
前記気液分離手段は、前記液体の旋回流を形成することにより、前記液体における気泡の含有比率を増加させることを特徴とする請求項１または２に記載の吐水装置。
【請求項６】
前記気液分離手段は、前記液体の吐出方向または吐出位置の少なくともいずれかを時間とともに変化させることを特徴とする請求項１〜５のいずれか１つに記載の吐水装置。
【請求項７】
前記気液分離手段は、
前記液体を流入させる流入室と、
前記流入室に流入した液体を前記吐出させる吐水口が設けられた受力体と、
を有し、
前記受力体は、前記流入室における前記液体の流れの作用を受けて公転及び自転の少なくともいずれかの運動をすることを特徴とする請求項１〜６のいずれか１つに記載の吐水装置。
【請求項８】
前記流入室は、前記液体の旋回流を形成可能であることを特徴とする請求項７記載の吐水装置。
【請求項９】
前記受力体は、前記流入室における前記液体の流れの作用を受けて、公転軸に対して傾斜した姿勢を維持しつつ前記公転軸を中心とした首振り公転運動をすることを特徴とする請求項７または８に記載の吐水装置。
【請求項１０】
前記受力体は、可撓性を有する弾性体により支持され、前記弾性体による支持部において、前記流入室は、実質的に気密とされたことを特徴とする請求項７〜９のいずれか１つに記載の吐水装置。
【請求項１１】
前記受力体は、前記公転運動とともに自転運動もすることを特徴とする請求項９記載の吐水装置。
【請求項１２】
前記受力体は、前記流入室における前記液体の流れの作用を受けて前記受力体を自転させる羽根を有することを特徴とする請求項１１記載の吐水装置。
【請求項１３】
前記受力体は、前記旋回流の旋回軸を中心とした自転運動をし、
前記吐水口に至る前記液体の吐水流路は、前記旋回軸に対して傾斜して設けられたことを特徴とする請求項８記載の吐水装置。
【請求項１４】
前記受力体は、前記旋回流の旋回軸を中心とした自転運動をし、
前記吐水口は、前記旋回軸から偏心して設けられ、
前記吐水口に至る前記液体の吐水流路は、前記旋回軸に対して略平行に設けられたことを特徴とする請求項８記載の吐水装置。
【請求項１５】
前記気液分離手段は、前記液体の圧力を低下させることにより、前記液体における気泡の含有比率を増加させることを特徴とする請求項３〜１４のいずれか１つに記載の吐水装置。
【請求項１６】
前記密閉空間の内圧が変動しても前記通水路の前記他端から吐出される前記液体の流量を略一定にする定流量弁をさらに備えたことを特徴とする請求項１〜１５のいずれか１つに記載の吐水装置。
【請求項１７】
前記密閉空間の内圧が変動しても前記通水路の前記他端から吐出される前記液体の吐出圧力を略一定にする定圧弁をさらに備えたことを特徴とする請求項１〜１５のいずれか１つに記載の吐水装置。
【請求項１８】
前記密閉容器は、容器と、前記容器の口に係合し前記容器と共働して前記密閉空間を形成する蓋と、を有し、前記容器内に貯留した液体に発泡薬剤を溶解させることにより、前記ガスを発生させて前記液体を加圧することを特徴とする請求項１〜１７のいずれか１つに記載の吐水装置。
【請求項１９】
前記密閉容器は、開閉可能な接続口を有し、
ガスが加圧状態で充填された加圧容器を前記接続口に接続し、前記密閉空間内に貯留された前記液体を、前記加圧容器に充填された前記ガスにより加圧することを特徴とする請求項１〜１７のいずれか１つに記載の吐水装置。
【請求項２０】
前記気液分離手段は、吐水口が設けられた吐出部を有し、
前記吐出部は、前記液体をミスト状に吐出することを特徴とする請求項１〜１９のいずれか１つに記載の吐水装置。
【請求項２１】
前記ガスは、二酸化炭素を主成分とすることを特徴とする請求項１〜２０のいずれか１つに記載の吐水装置。
【発明の詳細な説明】
【０００１】
【発明の属する技術分野】
本発明は、吐水装置に関し、より詳細には、炭酸水などの液体を吐出させ、美容・健康促進効果や洗浄作用などが得られる吐水装置に関する。
【０００２】
【従来の技術】
炭酸水などのガスを含有した液体は、人体に対して、血行促進や温感刺激、角質除去、静菌作用、洗浄効果などの各種の効果を与える。従って、このような液体を、使用場所を選ばずに何処でも手軽に吐出させ使用できる小型の吐水装置があると便利である。
【０００３】
液体を吐出させる装置としては、例えば、特許文献１に開示された携帯用肛門洗浄器がある。この携帯用肛門洗浄器は、ノズルを連結したバルブボタンを上部に取り付けた容器と、容器底部のネジ式蓋からなるもので、容器内の水に発泡錠剤を入れ、融解させ、発生する気体によって、容器内部に圧力を与え、ノズルより水を噴射させることを特徴とする。
【０００４】
【特許文献１】
特開平４−５８９１９号公報。
【０００５】
【発明が解決しようとする課題】
しかし、特許文献１に開示された携帯用肛門洗浄器の場合、容器内において炭酸ガスにより加圧された水をバルブの開操作により大気中にそのまま吐水する。このため、ノズルから噴射される炭酸水は、微細な気泡を含有するにとどまる。一般的に加圧された液体が吐水されると液体中に溶解していたガスの一部が減圧効果によって、気泡となって発生するが、液体中にはまだ多量のガスが溶解した状態となっている。また、吐水直後に減圧効果によって発生する気泡の量は少量の微細な気泡を含有するにとどまる。少量の微細な気泡のみでは、人体などに対する刺激は不十分であり、洗浄力に乏しい。また、炭酸ガスが有する血行促進効果なども十分に得られないおそれがある。
【０００６】
本発明に係る気液分離手段をもうけると、液体中に多量に残存するガスを積極的に気泡化し、さらに吐水中に含まれる気泡径を制御することができる。本発明は係る課題の認識に基づいてなされたものであり、液体中に溶解しているガスを有効利用することによって刺激感や洗浄力、あるいはガスが有する美容・健康促進効果などが十分に得られる吐水装置を提供することを目的とする。
【０００７】
【課題を解決するための手段】
上記目的を達成するため、本発明の吐水装置は、密閉空間を形成可能な密閉容器と、一端が前記密閉空間に連通可能であり他端が前記密閉空間外に連通可能である通水路と、前記通水路を開閉する開閉弁と、前記通水路の前記他端に設けられ、前記液体における気泡の含有比率を増加させる気液分離手段と、を備え、前記密閉空間内に貯留されガスにより加圧された液体を前記気液分離手段から吐出させることを特徴とする。
【０００８】
上記構成によれば、液体中に多量に残存するガスを積極的に気泡化し、さらに吐水中に含まれる気泡径を制御することができる。そして、液体中に溶解しているガスを有効利用することによって刺激感や洗浄力、あるいはガスが有する美容・健康促進効果などが十分に得られる。すなわち、二酸化炭素などのガスが有する各種の生体効果や適度や刺激感やマッサージ効果、洗浄効果などを高めることができる。
またさらに、前記液体を気液分離手段から直ちに吐出させるので、一旦、気液分離手段により発泡させた気体が再び液体中に溶解することを防ぎ、気液分離手段にて所望の発泡量、気泡径に制御・増加させた液体を確実に吐水することができる。
【０００９】
また、前記気液分離手段は、前記液体における気泡の合致を生じさせるものとすれば、前述した微細な気泡どうしの合致が促進され、水層と気体層とが交互に分離した状態で液体が吐水されることとなり、刺激のある洗浄感やマッサージ感が得られる。また、気泡と水が交互に被処理部位に当たることになり、水と気泡による振動効果により強力な洗浄力や血行促進作用などが得られる。水層と気体層とが交互に分離した状態で液体が吐水されることとなり、刺激のある洗浄感やマッサージ感が得られる。また、気泡と水が交互に被処理部位に当たることになり、水と気泡による振動効果により強力な洗浄力や血行促進作用などが得られる。
【００１０】
また、前記気液分離手段は、前記液体を撹拌させることにより、前記液体における気泡の含有比率を増加させるものとすることもできる。すなわち、加圧され炭酸ガスなどのガスが溶解した液体を撹拌すると、せん断効果により、液体の減圧効果を高めることができる。その結果として、液体中に溶解したガスを気泡として生成させる効果と、またそれらの気泡を合致させる効果を促進させることができる。
【００１１】
また、前記気液分離手段は、前記液体の乱流を形成することにより、前記液体における気泡の含有比率を増加させるものとすることもできる。すなわち、加圧され炭酸ガスなどのガスが溶解した液体の乱流を形成すると、液体の減圧効果を高めることができる。その結果として、液体中に溶解したガス気泡として生成させ、またこれら気泡を合致させる作用を促進させることができる。
【００１２】
また、前記気液分離手段は、前記液体の旋回流を形成することにより、前記液体における気泡の含有比率を増加させるものとすることもできる。すなわち、加圧され炭酸ガスなどのガスが溶解した液体において旋回流を形成すると、その旋回中心においては、圧力が低下するため、液体中に溶解したガスの気泡としての生成を促進させることができる。また、旋回流の遠心分離効果により、気泡の合致を促進させることもできる。
【００１３】
また、前記気液分離手段は、前記液体の吐出方向または吐出位置の少なくともいずれかを時間とともに変化させるものとすることができる。すなわち、液体の吐水方向または吐水位置の少なくともいずれかを変化させることにより、着水位置を時間とともに変化させることができる。その結果として、刺激感やマッサージ効果をさらに高めることができる。また同時に、広範囲に亘って発泡水を均等に吐水することが容易となり、塗布の「ムラ」などを解消できる。さらにまた、発泡水を均等に塗布することができるため、限られた量の加圧水を効率的に使用できるという効果も得られる。
【００１４】
ここで、前記気液分離手段は、前記液体を流入させる流入室と、前記流入室に流入した液体を前記吐出させる吐水口が設けられた受力体と、を有し、前記受力体は、前記流入室における前記液体の流れの作用を受けて公転及び自転の少なくともいずれかの運動をするものとすることができる。よって、前記受力体の自転や公転運動自体の攪拌効果により、気泡の含有比率（気泡の生成）や合致（成長）を促進させることができる。
【００１５】
さらに、前記流入室は、前記液体の旋回流を形成可能とすることができる。旋回流を形成することにより、前述した遠心分離効果による「気液分離作用」が得られる。そして、この場合であっても、上述のものと同様に気泡の含有比率（気泡の生成）や合致（成長）を促進させることができ、さらにまたこの旋回流を利用して受力体に公転及び自転の少なくともいずれかの運動をさせることにより、外部からの付加的な動力を与えることなく「吐水揺動作用」が得られる。さらに、受力体が公転もしくは自転することにより流入室内の液体に対する撹拌効果が生じ、「気液分離作用」を促進させることもでき、さらに気泡量の増加を促進させることができる。
【００１６】
またさらに、流入室において旋回流を形成させることにより、前述した遠心分離効果による「気液分離作用」が得られ、気液分離をさらに促進させることができ、特に気泡の合致による気泡径の拡大を促進させることができる。これは、比重の違いにより、旋回流の外側に液体、内側に空気が偏在するからである。
【００１７】
ここで、前記受力体は、前記流入室における前記液体の流れ作用を受けて、公転軸に対して傾斜した姿勢を維持しつつ前記公転軸を中心とした首振り公転運動をするものとすることができる。首振り公転運動により、略円錐状の吐水が可能となり、広範囲に亘り均一な吐水が容易となる。
【００１８】
また、前記受力体は、可撓性を有する弾性体により支持され、前記弾性体による支持部において、前記流入室は、実質的に気密とされたものとすることができる。弾性体によって支持することにより、摺動抵抗（摩擦）を減らすあるいは無くすことができる。さらに、受力体と流入室との隙間からの気体及び液体の漏れが無いので、効率がよい。特に、気液分離した場合、液体より漏れ易い気体が発生するが、この漏れを防ぐことができる。
【００１９】
また、前記受力体は、前記公転運動とともに自転運動もするものとすることもできる。自転運動を付加させると、吐水口から吐水された後の液体は、遠心力を受けて拡散しながら飛散する。従って、吐水自体の拡散軌跡と公転吐水の軌跡とが組み合うので、円錐状の公転吐水の軌跡に幅を持たせることができる。
【００２０】
また、前記受力体は、前記流入室における前記液体の流れの作用を受けて前記受力体を自転させる羽根を有するものとすることができる。このような羽根を設けると、撹拌効果も得られ、気泡の生成をさらに促進できる。
【００２１】
また、前記受力体は、前記旋回流の旋回軸を中心とした自転運動をし、前記吐水口に至る前記液体の吐水流路は、前記旋回軸に対して傾斜して設けられたものとすることができる。
【００２２】
旋回軸を中心として受力体を自転運動させる場合、吐水の傾斜角度が、回転初期から安定しているという効果が得られる。
【００２３】
また、前記受力体は、前記旋回流の旋回軸を中心とした自転運動をし、前記吐水口は、前記旋回軸から偏心して設けられ、前記吐水口に至る前記液体の吐水流路は、前記旋回軸に対して略平行に設けられたものとすることもできる。吐水流路を旋回軸に対して略平行にした場合、限定された範囲内において、円柱状の吐水パターンが得られる。従って、局所的に回転吐水を適用するような場合に有利となる。
【００２４】
ここで、前記気液分離手段は、前記液体の圧力を低下させることにより、前記液体における気泡の含有比率を増加させるものとすることができる。すなわち、炭酸ガスなどのガスが溶解した液体を減圧すれば、液体中に溶解したガスを気泡として生成させることができる。
【００２５】
また、前記密閉空間の内圧が変動しても前記通水路の前記他端から吐出される前記液体の流量を略一定にする定流量弁をさらに備えたものとしてもよい。または、前記密閉空間の内圧が変動しても前記通水路の前記他端から吐出される前記液体の吐出圧力を略一定にする定圧弁をさらに備えたものとしてもよい。
【００２６】
上記構成によれば、通水路の前記他端から吐出する気泡流の流量や圧力が略一定に自動的調整されるので、手動操作による開閉弁の開度調整を要することなく吐水の初期から終期まで安定した吐水が得られ、また適正長さの吐水時間が得られる。
【００２７】
また、前記密閉容器は、開閉可能な接続口を有し、ガスが加圧状態で充填された加圧容器を前記接続口に接続し、前記密閉空間内に貯留された前記液体を、前記加圧容器に充填された前記ガスにより加圧するものとすることもできる。
加圧容器として例えばカートリッジ型のガスボンベなどを接続して加圧することによっても、吐水装置の再利用が可能であり、また異なる種類の加圧液体などを随意に生成できる。
【００２８】
また、前記気液分離手段は、吐水口が設けられた吐出部を有し、前記吐出部は、前記液体をミスト状に吐出するものとすることができる。
【００２９】
気液分離手段により気泡の含有比率を増加させ、大きな気泡が形成された気泡流をミスト状に噴霧すると、間欠状あるいはパルス状のミストが得られる。その結果として、スプレー吐水であり且つ適度な刺激が得られる。つまり、マッサージ効果が得られる。また同時に、ミスト状に噴霧させることにより、均一な吐水が容易となり、被吐水部における「水たれ」を抑制できる。
【００３０】
また、前記密閉容器は、容器と、前記容器の口に係合し前記容器と共働して前記密閉空間を形成する蓋と、を有し、前記容器内に貯留した液体に発泡薬剤を溶解させることにより、前記ガスを発生させて前記液体を加圧するものとすることができる。
【００３１】
液体と発泡薬剤とを投入して加圧液体を生成すれば、再利用が可能であり、また異なる種類の加圧液体なども随意に生成できる。
【００３２】
また、前記ガスは、二酸化炭素を主成分とするものとすることができる。炭酸水の気泡流は、皮膚直下の血管を拡張させることにより血行を促進させる。また、皮膚の温感（受容器）を刺激し、冷感（受容器）を抑制することにより、暖まり感を与えることもできる。さらにまた、皮膚の角質を除去するピーリング効果や、静菌効果、アストリンゼント効果なども得られる。
さらに、二酸化炭素（炭酸水）は、前述した効果だけでなく水への溶解量が高いので、前述した気泡量、気泡径の増加効果が高く、人体に対する刺激や洗浄効果が高い。
【００３３】
【発明の実施の形態】
以下、図面に示す実施例に基づいて本発明を説明する。
まず、本発明の実施の形態に係る加圧吐水装置について説明する。
図１は、本発明の加圧吐水装置の全体構成を概念的に表す模式図である。図１に表したように、本実施形態の加圧吐水装置は、液体および発泡薬剤を貯留する容器１と、容器１と協働して密閉空間を形成する蓋２とを備えている。容器１と蓋２の嵌合部には、発泡薬剤を保持する薬剤フォルダー９が配設されている。
【００３４】
また、一端が容器１内で開口し、他端が蓋２外で開口する通水路３を備えている。また通水路３の蓋２内で延在する部分を開閉する開閉弁４と、開閉弁４を手動操作するための操作スイッチ５が蓋に取付られている。また、通水路３の蓋２内で延在する部分には定流量弁７が設けられており、その下流には気液分離手段６が設けられている。
【００３５】
後に実施例を参照しつつ詳述するように、本発明の望ましい実施の形態においては、気液分離手段６が吐水装置の吐水部すなわち、加圧水を吐出する部分に設けられている。そして、本発明の望ましい実施の形態においては、気液分離手段６は、「気液分離作用」と、「吐水揺動作用」と、を有する。後に詳述するように、「気液分離作用」とは、容器内に貯留された加圧水における気泡の含有比率を増加させる作用である。また、「吐水揺動作用」とは、吐水装置から吐出される気泡流の吐水方向または着水位置の少なくともいずれかを時間的に変動させる作用である。
【００３６】
まず、加圧吐水装置の作動を説明する。
使用者は蓋２を容器１から取り外し、容器１に水を入れ、次いでガスを発生させる発泡薬剤を容器１内に設置された薬剤フォルダー９に投入し、蓋２により容器１を施蓋して容器１を密閉する。薬剤フォルダー９に投入する発泡薬剤としては、例えば炭酸塩と有機酸とを主成分とする粒状などの発泡薬剤を用いることができる。
【００３７】
このような発泡薬剤と水とが反応すると、炭酸ガスが発生する。例えば、発泡薬剤に、炭酸水素ナトリウム（３ＮａＨＣＯ３：重曹）と、有機酸たとえばクエン酸などの果実酸（ＨＯＯＣ−Ｃ（ＯＨ）（ＣＨ２ＣＯＯＨ）２）とを配合した場合、これらが水に溶解すると、以下の反応により、炭酸ガス（ＣＯ２）が発生する。
３ＮａＨＣＯ３　＋ＨＯＯＣ−Ｃ（ＯＨ）（ＣＨ２ＣＯＯＨ）２
→　ＮａＯＯＣ−Ｃ（ＯＨ）（ＣＨ２ＣＯＯＮａ）２＋３Ｈ２Ｏ＋３ＣＯ２
なおここで、反応生成物　ＮａＯＯＣ−Ｃ（ＯＨ）（ＣＨ２ＣＯＯＮａ）２は、クエン酸ナトリウムである。これら配合剤及び反応生成物は、いずれも食品添加物などとして用いられるものであり、人体に害を及ぼす心配はない。
【００３８】
このようにして発生した炭酸ガスは、容器１内の水に溶解すると共に、容器１内の空気層に合流し、空気層の圧力を上昇させ、容器１内部を加圧する。容器１の内部に十分な圧力が得られた頃に、使用者はノズル９を所望の身体部位へ差し向け、操作スイッチ５を押して開閉弁４を開く。加圧された水は通水路３に流入し開閉弁４を通過し、定流量弁７を通って略一定流量に調節され、気液分離手段６に流入する。
【００３９】
ここで、本発明に係る加圧吐水装置においては、容器１内で炭酸ガスが加圧溶解した液体が吐水されるとき、定流量弁７を介して減圧され、減圧効果により溶解しきれなくなった炭酸ガスが気泡化し、気泡が分散混入した液体が気液分離手段６に流入する。ここで、気液分離手段６により、発生した微細な気泡は攪拌作用などにより液体と分離され、より大きな気泡形状となる。すなわち気液分離手段６の通過後は、通水路３内では水層と気体層とが交互に分離した状態となり、ノズル８から吐水される液体は気泡と交互に身体部位に当たることになる。よって使用者は水と気泡による振動効果により刺激があり、かつ強力な洗浄力のある吐水形態で身体部位を洗浄することができる。
なお、上述の如く、定流量弁７においても、減圧効果により気泡の生成が生ずる点で気液分離作用が得られる。本発明においては、さらに顕著な気泡の生成と合致の効果が得られる気液分離手段６を設ける。
【００４０】
またさらに、本発明の望ましい実施の形態においては、気液分離手段６は、吐水部に設けられ、加圧水の吐水方向あるいは吐水位置を時間的に変化させることができる。つまり、吐水部に設けられた気液分離手段６は、加圧水における気泡の含有比率を増加させると同時に、加圧水の吐水方向あるいは吐水位置を変化させ、使用者に対する刺激感やマッサージ効果をさらに促進させることができる。
【００４１】
以下、気液分離手段６に必要とされる「気液分離作用」を実現するための具体的な構成について説明する。
まず、気液分離作用を得るための第１の具体例について説明する。
図２（ａ）は、気液分離作用を得るための第１具体例を示す上面図であり、図２（ｂ）は、本具体例のａ−ａ側面断面図である。
図２に表したように、気液分離手段６の少なくとも一部として、通水路３から前記気液分離手段６へ液体を流入させる液体流入口１０と、前記通水路３よりも流路断面積の広い液体流入室１１と、前記液体流入室１１から再び前記通水路３に液体を吐出する液体吐出口１２とを設けることができる。さらに、前記液体流入室１１内に、前記液体吐出口１２と前記液体流入口１０とが直接対向しないように遮蔽体２０が設けられている。
【００４２】
定流量弁７の減圧効果により発生した気泡は、液体に分散して混合しており、この液体は通水路３を通って液体流入室１１内で遮蔽体２０に衝突し、液体流入室１１内は攪拌された状態となる。このことより液体流入室１１内で減圧効果により液体中での気泡の生成が促進され、発生した気泡は合致してより大きな気泡形状となる。よって液体吐出口１２から吐水される液体は水層と気体層とが交互に分離した状態となる。よって気泡と水が交互に被処理部位にあたり、刺激のある洗浄感が得られる。この場合は、流路形状は液体流入口１０と液体吐出口１２は同心状にあっても、偏心した状態にあっても気泡と水を分離することができる。
【００４３】
次に、気液分離作用を得るための第２の具体例について説明する。
図３（ａ）は、気液分離作用を得るための第２具体例を示す上面図であり、図３（ｂ）は、本具体例のａ−ａ側面断面図である。
図３に表したように、液体吐出口１２と前記液体流入口１０とが直接対向しないように前記液体吐出口１２は前記液体流入口１０に対して偏心して前記液体流入室１１に連通している。なお、加圧水吐水装置吐水時に、液体吐出口１２が液体流入口１０よりも上方になるように偏心して、液体流入室１１に連通させている。
【００４４】
このことにより、液体流入口１０から液体流入室１１内に流入した液体は、液体吐出口１２が液体流入口１０と同心上にないため、液体流入室１１の周壁に衝突した後に液体吐出口１２から吐出される。よって液体流入室１１内の流れに「乱れ」すなわち乱流が発生し、液体流入室１１内はより攪拌された状態となり、気泡は液体流入室１１内で合致してより大きな気泡形状となる。このため、液体吐出口１２から吐水される液体は水層と気体層とが交互に分離した状態となり、気泡と水が交互に身体部位にあたり、刺激のある洗浄感が得られる。また、液体吐出口１２が液体流入口１０よりも上方になるように偏心して、液体流入室１１に連通させているため、浮力の大きい気泡は液体流入室１１の上部に集中するため液体吐出口１２から吐出しやすく、液体流入室１１内に気泡が滞留することがない。このため常時同じような刺激の得られる、使い勝手の良い加圧吐水装置を提供できる。
【００４５】
次に、気液分離作用を得るための第３の具体例について説明する。
図４（ａ）は、気液分離作用を得るための第３具体例を示す上面図であり、図４（ｂ）は、本具体例のａ−ａ側面断面図である。
図４に表したように、液体流入室１１に流入した液体が液体流入室１１内で旋回流を発生するように、液体流入口１０は液体流入室１１の周壁において液体吐出口１２に偏心して設けられ、液体吐出口１２は液体流入室１１内での液体旋回方向に吐出されるように液体流入室１１の周壁に設けた。
【００４６】
液体流入室１１内で旋回流が発生するように液体吐出口１２と液体流入口１０を偏心して設けられているため、液体流入室１１内には円心力が働き、密度の大きい液体は液体流入室１１周壁へ、密度の小さい気体は液体流入室１１中心へ移動する。このことにより、微細な気泡は液体流入室１１の中心で合致し、気体と液体が分離される。ここで、液体旋回方向に液体が液体流入室１１から吐出されるように液体吐出口１２が設けられているため、液体流入室１１内での旋回流は滞ることなく、液体流入室１１から吐出され、気泡と液体の分離がスムーズに行われる。以上のことから、液体は水層と気体層とが交互に分離した状態となり、気泡と水が交互に被処理部位にあたり、刺激のある洗浄感が得られる。
【００４７】
次に、気液分離作用を得るための第４の具体例について説明する。
図５（ａ）は、気液分離作用を得るための第４具体例を示す上面図であり、図５（ｂ）は、本具体例のａ−ａ側面断面図である。
図５に表したように、液体流入室１１上部は円錐状周壁となっており、液体流入室１１の下部に液体流入口１０が液体流入室１１周壁に設けられ、液体流入室１１上部中心に液体吐出口１２が設けられている。
【００４８】
本発明に係る加圧吐水装置は、図４に示す具体例の説明と同様に液体は液体流入室１１内で旋回し、気層と液層に分離される。また、液体吐出口１２は分離された気体が集まる液体流入室１１の中心に設けられているため、気泡が液体流入室１１に滞留することがなく、分離された、気体、液体の搬送がスムーズに行われる。
【００４９】
次に、気液分離作用を得るための第５の具体例について説明する。
図６（ａ）は、気液分離作用を得るための第５具体例における止水状態を示す側面断面図であり、図６（ｂ）は、本具体例における第一吐水形態を示す側面断面図であり、図６（ｃ）は、本具体例における第二吐水形態を示す側面断面図である。
図６に表したように液体流入口１０に偏心して液体流入室１１に連通する液体吐出口Ａ１３と液体流入口１０に同心して液体流入室１１に連通する液体吐出口Ｂ１４と、液体流入室１１内からそれぞれ液体吐出口への流路を切り換える切り替え手段１５とを設けられている。図６に示すように切り替え手段１５を設けたことにより液体流入室内からの吐出の開閉および吐出流路を切り替えることが可能となる。なおここで、液体流入室１１の形状は、略円筒状でも略直方体状でもあるいはその他の形状でもよい。
【００５０】
図６（ａ）は、流路が閉鎖された状態である。このように切り替え手段１５に流路の開閉機能を持たせることで、別途加圧吐水装置の吐水を制御する開閉弁を設ける必要がなくなる。また、図６（ｂ）は、液体吐出口として液体吐出口Ｂ１４が選択された場合である。この場合は、液体流入室１１内での流れの乱れが起こらないため、液体には減圧効果によって発生した微細な気泡が分散した状態で混入しており、ソフトで、柔らかい感じの吐水感が得られる。また、図６（ｃ）は、液体吐出口として液体吐出口Ａ１３が選択された場合である。この場合は、液体流入口１０から流入した液体は液体流入室１１内の周壁に衝突し、液体流入室１１内は攪拌された状態となる。このことより気泡は液体流入室１１内で合致してより大きな気泡形状となる。よって、液体吐出口Ａ１３から吐水される液体は水層と気体層とが交互に分離した状態となり、水と気泡が交互に被処理部位にあたり刺激のある吐水となる。また、水と気泡による振動効果により強力な洗浄力が得られる。このことより、切り替え手段１５により流路を切り換えることで使用者の好みにあった吐水形態で液体を吐水することができる。ここで、切り替え手段１５は上記で説明しただけでなく、液体吐出口Ａ１３と液体吐出口Ｂ１４の流路の切り替えが行える、両方を同時に止水する状態に切り換えることが可能であればどのような構成であってもよい。
【００５１】
次に、気液分離作用を得るための第６の具体例について説明する。
図７（ａ）は、気液分離作用を得るための第６具体例を示す上面図であり、図７（ｂ）は、本具体例のａ−ａ側面断面図である。
【００５２】
図７に表したように、液体流入室１１に流入した液体が液体流入室１１内で旋回流を発生するように、液体流入口１０は液体流入室１１の周壁において液体吐出口１２に偏心して設けられ、液体吐出口１２は液体流入室１１内での液体旋回方向に吐出されるように液体流入室１１の周壁に設けられ、液体流入室１１に少なくとも１つ以上の突起１６を設けた。
【００５３】
液体流入室１１内で旋回流が発生するように液体吐出口１２と液体流入口１０を偏心して設けられているため、液体流入室１１内には円心力が働き、密度の大きい液体は液体流入室１１周壁へ、密度の小さい気体は液体流入室１１中心へ移動する。このことにより、微細な気泡は液体流入室１１の中心で合致し、気体と液体が分離される。
ここで、液体流入室１１に突起１６が設けられているため、液体流入室１１内で発生した旋回流が突起に衝突し、突起部分では流れの剥離が起こり局部的に減圧された部位が形成される。よって、より減圧効果が高まり気泡の発生が促進され、気泡と水の分離効率が高まる。以上のことから、液体は水層と気体層とが交互に分離した状態となり、気泡と水が交互に被処理部位にあたり、刺激のある洗浄感が得られる。
【００５４】
次に、気液分離作用を得るための第７の具体例について説明する。
図８は、気液分離作用を得るための第７具体例を表す要部断面図である。すなわち、同図は、例えば図４（ａ）及び（ｂ）に例示した流入室において形成される旋回流の回転軸に対して垂直な方向の断面図である。
【００５５】
図８に表したように、本具体例においても、液体流入室１１は、その中で旋回流が形成されるように、略円周状の周壁を有する。そして、液体流入口１０と液体吐出口１２は、この周壁に沿った旋回流が形成されるように、その接線方向に対して略平行に形成されている。またさらに、本具体例においては、液体流入室１１の中に、回転体１７が設けられている。回転体１７は、例えば略球状あるいは略円柱状であり、液体流入室１１のなかで形成される旋回流により同図に矢印で表した方向に回転する。
回転体１７が液体流入室１１の中で回転すると、液体流入室１１の中の炭酸水が撹拌され、せん断効果によって減圧効果が増強される。その結果として、気泡の発生が促進され、気体と液体とが分離される気液分離作用が促進される。また同時に、この回転体１７の撹拌作用により、気泡の分断効果も得られる。すなわち、流入室１１の中で過大なサイズの気泡が形成された場合、これを回転体１７の撹拌作用により分断して、適度なサイズの気泡にして流出させることも可能である。
【００５６】
この時、吐水量（流速）と回転体１７の回転数に応じて、液体中の気泡のサイズをコントロールできる。
図９は、回転体１７を設けた場合の吐水量（流量）に対する気泡径の一般的な依存性を概念的に表すグラフ図である。
すなわち、流速が大きい時は、回転体１７の回転数が大きくなるため、一端、発生し合致した気泡が回転体１７によりせん断される回数が多くなる。このため、旋回流や回転体１７が有する撹拌作用による気液分離作用すなわち気泡の生成と合致による気泡径の拡大が飽和される傾向が得られる。回転体１７の回転数は、気液分離手段への流入口径などにより、容易に調節可能である。このため、気液分離手段に回転体１７を設けることより、目的や用途に応じた適度やサイズの気泡を含む発泡水を得ることができる。
【００５７】
回転体１７が生ずる気液分離作用と気泡分断作用のバランスは、流入室１１のサイズ及び形状と、回転体１７のサイズ及び形状とを適宜選択することにより、調節可能である。
【００５８】
また、本具体例における流入室１１の形状や流入口１０及び吐出口１２の配置関係については、図８の具体例に限定されず、例えば、図４、図５及び図７などに関して前述したものをはじめとして各種の構成を同様に採用することができる。すなわち、流入室１１の中で炭酸水の旋回流が形成されれば、回転体１７による撹拌効果を同様に得ることが可能である。
【００５９】
次に、気液分離作用を得るための第８の具体例について説明する。
図１０は、気液分離作用を得るための第８具体例を表す要部断面図である。すなわち、同図も、例えば図４（ａ）及び（ｂ）に例示した流入室において形成される旋回流の回転軸に対して垂直な方向の断面図である。
【００６０】
図１０に表したように、本具体例においても、炭酸水の流入室１１は、その中で旋回流が形成されるように、略円周状の周壁を有する。そして、炭酸水流入口１０と炭酸水吐出口１２は、この内周壁に沿った旋回流が形成されるように、その接線方向に対して略平行に形成されている。そして、本具体例においては、流入室１１の中に、羽根車状の回転体１８が設けられている。この回転体１８は、流入室１１の中で形成される旋回流により同図に矢印で表した方向に回転する。回転体１８が流入室１１の中で回転すると、前述した第７具体例と同様に、流入室１１の中の炭酸水が撹拌され、せん断効果によって減圧効果が増強される。その結果として、気泡の発生が促進され、気体と液体とが分離される気液分離作用が促進される。また同時に、本具体例の場合も、回転体１８の撹拌作用により、図９に関して前述した気泡の分断効果も得られる。すなわち、流入室１１の中で過大なサイズの気泡が形成された場合、これを回転体１８の撹拌により気泡を分断して、適度なサイズの気泡にして流出させることも可能である。
【００６１】
本具体例においても、回転体１８が生ずる気液分離作用と気泡分断作用のバランスは、流入室１１のサイズ及び形状と、回転体１８のサイズ、形状、羽根の数などを適宜選択することにより、調節可能である。
【００６２】
また、本具体例においても、流入室１１の形状や流入口１０及び吐出口１２の配置関係については、図１０の具体例に限定されず、例えば、図４、図５及び図７などに関して前述したものをはじめとして各種の構成を同様に採用することができる。すなわち、流入室１１の中で炭酸水の旋回流が形成されれば、回転体１８による撹拌効果を同様に得ることが可能である。
【００６３】
次に、気液分離作用を得るための第９の具体例について説明する。
図１１は、気液分離作用を得るための第９具体例を表す要部断面図である。すなわち、同図も、例えば図４（ａ）及び（ｂ）に例示した流入室において形成される旋回流の回転軸に対して垂直な方向の断面図である。
【００６４】
図１１に表したように、本具体例においても、炭酸水の流入室１１は、その中で旋回流が形成されるように、略円周状の周壁を有する。そして、炭酸水流入口１０と炭酸水吐出口１２は、この内周壁に沿った旋回流が形成されるように、その接線方向に対して略平行に形成されている。そして、本具体例においては、流入室１１の中に、扇状の回転体１９が設けられている。この回転体１９は、流入室１１の中で形成される旋回流により同図に矢印で表した方向に回転する。
回転体１９が流入室１１の中で回転すると、前述した第７及び第８具体例と同様に、流入室１１の中の炭酸水が撹拌され、せん断効果によって減圧効果が増強される。その結果として、気泡の発生が促進され、気体と液体とが分離される気液分離作用が促進される。また同時に、本具体例の場合も、回転体１９の撹拌作用により、図９に関して前述したような気泡の分断効果も得られる。
【００６５】
図１２は、気液分離手段６が有する気液分離作用の効果を説明するための模式図である。
すなわち、図１２（ａ）に例示した如く炭酸水１１０が気泡を含まない場合には、吐水ノズル８から吐出される水流は、均質であり、着水圧力の時間的な変動はあまりない。従って、炭酸水１１０を噴射する人体の被処理部位２００においても、吐水による物理的な刺激感は、あまり得られない。
これに対して、同図（ｂ）に例示した如く炭酸水１１０が多数の微細気泡１０２を含有する場合には、着水圧力が細かく振動する。例えば、容器１内おいて加圧状態にあった炭酸水が、定流量弁７を通過すると、圧力の低下により、このような多数の微細気泡が分散混入された状態となる。ただし、この状態では、着水圧力の変動はまだ小さい。従って、人体の被処理部位２００において感じる吐水の刺激感もあまり大きくない。
【００６６】
これに対して、気液分離手段６により気液分離させると、図１２（ｃ）及び（ｄ）に例示した如く、炭酸水１１０には、微細な気泡１０２とともに、これらが合体して形成された大きな気泡１０４または、さらに大きな気泡１０６が含まれる。その結果として、水流は、気泡と水層とに分離され、着水圧力は、時間とともに大きく変動する。つまり、気泡と水とが交互に足に当たることになり、水と気泡とによる振動効果が得られる。その結果として、被処理部位２００に対して物理的な刺激のあるマッサージ効果や血行促進効果、高い洗浄作用などが得られる。なおここで、「着水圧力」とは、被処理部位２００における水流の圧力をいう。
【００６７】
このように気液分離手段６によって気泡の生成と合致を促進させて適度なサイズの気泡を混入させた気泡流は、例えば、お尻洗浄やビデ洗浄に用いることができるのはもちろんであるが、それ以外にも、例えば、足指や爪の洗浄にも適している。さらにまた、発泡薬剤により炭酸ガスを発生させる場合には、炭酸水による血行促進効果が得られる。炭酸水のｐＨを２〜３に調整すれば、角質除去効果や殺菌効果が得られる。
【００６８】
本発明者の試作検討の結果、例えば、容量が約１２０ミリリットルの容器１に約９０ミリリットルの水を入れ、上記の炭酸水素ナトリウムと果実酸とを配合した発泡薬剤を約５グラム程度、薬剤フォルダー９に収容し、密閉した後に水に溶解させると、内圧を４〜５Ｋｇｆ／ｃｍ２（およそ０．４〜０．５ＭＰａ）程度にまで加圧できることが分かった。
【００６９】
図１３は、圧力と炭酸ガスの溶解量との関係を表すグラフ図である。同図に表したように、圧力を４〜５Ｋｇｆ／ｃｍ２にまで加圧すると、水９０ミリリットルに対しておよそ４００〜５００ミリリットルもの炭酸ガスを溶解させることができる。
本実施例によれば、容器１を密閉した後に発泡薬剤を水に溶解させガスを発生させるので、ガスの散逸による圧力の損失を解消できる。その結果として、高い濃度の炭酸水を生成し吐水させることができる。従って、発泡薬剤を投入して容器１の内圧を高め、液体中への炭酸ガスの溶解量を増加させ、高い濃度の炭酸水を生成することができる。そして、その炭酸水を気液分離手段６により気液分離し、適度なサイズの気泡を混入させた気泡流として噴出させることができる。その結果として、炭酸ガスあるいはその他の混合成分が有する血行促進や洗浄作用、殺菌作用などの各種の効果を大幅に増強することが可能となる。
【００７０】
炭酸ガスの濃度が１０００ｐｐｍ以上の炭酸水は、一般に「炭酸泉」と呼ばれ、人体に対して各種の効果を有することが知られている。これに対して、本発明によれば、炭酸ガスの濃度が３０００ｐｐｍあるいはそれ以上の高濃度の炭酸水を生成させ、気液分離手段６を設けることによって、それを気泡流として吐出させることができる。このような高濃度の炭酸水の気泡流は、皮膚直下の血管を拡張させることにより血行を促進させる。また、皮膚の温感（受容器）を刺激し、冷感（受容器）を抑制することにより、暖まり感を与えることもできる。さらにまた、皮膚の角質を除去するピーリング効果や、静菌効果、アストリンゼント効果なども得られる。
【００７１】
次に、本発明の吐水装置に用いることができる発泡薬剤について具体的に説明する。
前述したように、発泡薬剤に例えば炭酸塩と有機酸とを含有させると、液体に投入し溶解して炭酸ガスを発生させることができる。発泡薬剤に使用される炭酸塩と有機酸の具体例を以下に列挙する。
【００７２】
炭酸塩　：ナトリウム、カリウム、リチウム、ルビジウム等のアルカリ金属の炭酸塩又は炭酸水素塩。
有機酸　：クエン酸、酒石酸、コハク酸、フマル酸、リンゴ酸等の有機酸、またはこれらの混合物。酸性リン酸ナトリウムもしくはカリウムを含む他の酸、またはそれらの混合物でも良い。
【００７３】
また一方、発泡薬剤には、その他、ｐＨ調整剤、保湿剤、殺菌剤、香料、消臭剤、界面活性剤、薬効成分剤等を配合させて各種の効果を得ることができる。またこれらの成分は、容器１内に充填する液体に配合してもよい。このような配合成分の具体例を以下に列挙する。
【００７４】
ｐＨ調整剤（対象部位や使用目的に応じたｐＨを得ることができる）：クエン酸およびその塩、リン酸およびその塩、リンゴ酸およびその塩、グルコン酸およびその塩、マレイン酸およびその塩、アスパラギン酸およびその塩、コハク酸およびその塩、グルクロン酸およびその塩、フマル酸およびその塩、グルタミン酸およびその塩、アジピン酸およびその塩、乳酸およびその塩、パントテン酸およびその塩、塩酸、水酸化アルカリ金属等。
【００７５】
保湿剤あるいは湿潤剤（皮膚の角質の水分保持能力を増すことができる）：多価アルコール、乳糖等の糖類及びその誘導体、アミノ酸類及びその誘導体、水溶性高分子、酵母エキス、海草エキス、各種植物エキス、植物油脂類、ロウ類、炭化水素類、脂肪酸類、高級アルコール、エステル類、各種植物精油又はこれらの混合物等。
【００７６】
香料：ターピネオール、リナロール、シトロネロール、シトラール、リモネン、レモングラス油、ラベンダー油等、酢酸イソボニル、酢酸メンタニル、酢酸フレンチル、ボルネオール、メントール、カンファー、精油、松の抽出物、テルピノレン類、パラジクロルベンゼン、ローズ、レモン、ジャスミン、ブーケ調香料、イランイラン油等。
【００７７】
皮膚温冷感付与剤（皮膚に対して温感あるいは冷感を与えることができる）：メントール類、多価アルコール等およびこれらの混合物。
【００７８】
ビタミン作用物質（皮膚などに対してビタミンを与えることができる）：ビタミンＡ類、ビタミンＢ２類、ビタミンＢ６類、ビタミンＨ類等。より具体的には、例えば、酢酸−ｄｌ−α−トコフェロール、ｄｌ−α−トコフェロール、ニコチン酸ベンジルなどを挙げることができる。
【００７９】
界面活性剤（浸透効果、洗浄効果、気泡維持効果などが得られる）：アニオン界面活性剤、ノニオン界面活性剤、カチオン界面活性剤、両性界面活性剤（一分子中に陰陽両イオンの官能基をもつもの）等。
【００８０】
殺菌剤：塩化ベンザルコニウム、塩化ベンゼントコニウム、塩化セチルピリジニウム等。エチルアルコール、メチルアルコール、グリセリン、プロピレングリコール、エチレングリコール等。銅、亜鉛、マグネシウム、ニッケル、銀等を含む無機系抗菌剤、脂肪酸銀等。
【００８１】
消臭剤：過ホウ酸ナトリウム、次亜塩素酸、二酸化マンガン、過マンガン酸塩、ベンゾキノン、ナフトキノン酸等の酸化剤、グリオキザール、アクロレイン等のアルデキド類、ケトン類、１，２−プロピレンオキサイド、１，２−ｎ−プロピレンオキサイド等のエポキシ化合物、メタクリル酸エステル、マレイン酸誘導体等のα、β−不飽和化合物、硫酸銅、硫酸亜鉛等の金属塩、活性炭、シリカゲル、アルミナ等の吸着剤、硫酸鉄、亜鉛化合物、アルミニウム塩、珪酸塩類等の無機塩、クエン酸、アスコルビン酸鉄等の他、各種の植物抽出物、例えば、つばき科植物、緑茶の抽出物等、更に葉緑素の主成分であるクロロフィル、食品分野で利用され得る消臭物質であるジメチルアミノスルホネート、グルコサミン、サイクロデキストリン、有機酸（Ｌ−アスコルビン酸、安息香酸、グルコン酸、葉酸、ニコチン酸）等。
【００８２】
残留塩素除去成分（還元剤）：亜硫酸ナトリウム、亜硫酸カルシウム等の亜硫酸塩やチオ硫酸ナトリウム等のチオ硫酸塩、アスコルビン酸等のビタミンＣ、過酸化水素を発生して脱塩素を行う過炭酸ナトリウム等の過炭酸塩、過硫酸ナトリウム、過硫酸カリウム等の過硫酸塩、他の過酸の塩、過酸化ナトリウム、過酸化亜鉛等の金属過酸化物等。
【００８３】
洗浄成分：エチレングリコールモノエチルエーテル、ジエチレングリコールモノブチルエーテル、トリエチレングリコールモノブチルエーテル、トリプロピレングリコールジメチルエーテル、ポリオキシエチレングリコールモノブチルエーテル等の、低級アルコールにエチレンオキサイド及び／又はプロピレンオキサドを付加したアルキレングリコールルキルエーテル系溶剤等。
【００８４】
痔疾等の疾患に効果的な痔疾薬剤：酢酸ヒドロコルチゾン、酢酸プレドニゾン、塩酸ジフェンヒドラミン、塩酸フェニレフリン等の抗炎症剤、酢酸トコフェロール、ｄｌ−塩酸メチルフェドリン等の血液の循環を助ける薬剤、塩酸リドカイン、塩酸ジブカイン、アミノ安息香酸エチル、ｌ−メントール等の局所の痛み、痒みに効果的な薬剤、アラントイン等の傷口の治りを助ける薬剤等。
【００８５】
ところで、本発明の気液分離手段６を用いた場合、炭酸水の気泡の生成と合致が促進されるので、界面活性剤などを適宜添加することにより、「泡状」の炭酸水を得ることも可能となる。またさらに、炭酸水に与える界面活性剤などの配合を調節すれば、さらにクリーム状の泡も形成可能となる。
【００８６】
図１４は、気液分離手段６によって得られる泡状の炭酸水の作用を説明するための概念図である。
すなわち、炭酸水に界面活性剤などを適宜添加した場合、気液分離手段６において炭酸水の気泡の生成と合致が促進されると、図１４（ａ）に表したように、吐水装置Ｐからクリーム状または泡状の発泡水１１０が得られる。その一部を拡大すると、同図（ｂ）に表したように、多数を大きな気泡１１０Ａを有する。この気泡１１０Ａは、発泡水が含有する気体成分、例えば炭酸ガス（ＣＯ２）である。そして、気泡１１０Ａの周囲は、発泡水の被膜１１０Ｂに覆われている。
【００８７】
図１４（ｃ）は、このようなクリーム状または泡状の発泡水１１０を人体２００に塗布した状態を表す。発泡水をクリーム状または泡状とすることにより、人体２００に長時間、塗布することができる。つまり、発泡水が液体状であると、人体２００の表面で容易に流れてしまうため、接触時間が短くなる場合がある。これに対して、クリーム状または泡状とすれば、流れることはなく、長時間に亘って人体２００に接触させることができる。
【００８８】
そして、発泡水１１０が含有する炭酸ガスなどの気体成分は、発泡水の皮膜１１０Ｂに配合されたその他の各種有効成分とともに、矢印Ｂの如く人体２００に浸透し、所望の作用効果を奏する。本実施例によれば、気泡１１０Ａを構成する炭酸ガスなどの気体成分が、矢印Ａにより例示した如く、その周囲を覆う発泡水の皮膜１１０Ｂに供給される。その結果として、発泡水の皮膜１１０Ｂの気体含有量を高く保ち、矢印Ｂで例示した浸透効果を長時間に亘り持続させることができる。このように、長時間に亘って高濃度の発泡水の皮膜１１０Ｂに人体２００を接触させると、皮膚の角質層が軟化し、矢印Ｂにより例示した有効成分の浸透効果がさらに高まる。
【００８９】
このように泡状またはクリーム状の発泡水を得るために配合する界面活性剤の具体例は、前述した通りである。ラウリル硫酸塩などの食品添加用の界面活性剤を用いれば、人体に対して安全であり、泡の生成効果を効果的に高めることができる。
【００９０】
以上、本発明の気液分離手段６が有する「気液分離作用」について詳述した。
次に、気液分離手段６が有する「吐水揺動作用」について説明する。
すなわち、本発明においては、気液分離手段６を吐水装置の吐水部に設け、吐水口を回転あるいは公転させることによって、吐水方向または着水位置の少なくともいずれかを時間的に変動させることができる。以下、この点に関して、具体例を参照しつつ説明する。
【００９１】
図１５（ａ）は、「気液分離作用」と「吐水揺動作用」とを併せ持つ気液分離手段６の横方向断面図であり、同図（ｂ）は、（ａ）におけるＡ−Ａ線断面図である。
図示するように、この気液分離手段６は、炭酸水３００が流入する流入室として円筒状に形成された旋回室４０４を備え、この旋回室４０４に、通水路４０２と旋回室流入路４０３を経て炭酸水を給水する。旋回室流入路４０３は、ノズル管路であり、通水路４０２よりも通水断面積が小さく構成されており、旋回室４０４の中心軸に対して偏心して当該碇回室に接続されている。よって、旋回室流入路４０３からの炭酸水は、旋回室４０４に対してその接線方向から流入し、図中に矢印で示したように、旋回する旋回流を生成する。この場合、旋回室流入路４０３の通水断面積は通水路４０２より小さいことから、旋回室４０４に流入する炭酸水の流速を高めることができる。
【００９２】
この旋回室４０４に、受力体４１０が組み込まれている。受力体４１０は、炭酸水３００を吐出する吐水口４１１を備えた小径円柱の吐水部位４１０ａと、この吐水部位に連続した大径円柱の受力部位４１２とを有する。この受力部位４１２は、旋回室４０４内に位置して上記の旋回流から後述の種々の力を受け、受力体４１０の後述する首振り公転駆動等に関与する。受力部位４１２は、横方向に貫通する給水管路４１３を備え、この給水管路４１３から、旋回室４０４内の炭酸水を吐水口４１１に導く。給水管路４１３は、受力部位４１２に十字に交差して開けられており、この給水管路４１３の通路断面積の総和は、吐水口４１１より広い。よって、給水管路４１３から吐水口４１１に炭酸水が導かれる際には、面積の大小により、炭酸水の整流がなされるので、吐水口４１１からの炭酸水の吐水は安定する。
【００９３】
受力体４１０は、旋回室４０４の開口上部に設けられたシール部４１６に吐水部位４１０ａを内接させた状態で挿入・支持されており、受力部位４１２を旋回室４０４内のほば中央に垂下させている。従って、旋回室流入路４０３から旋回室４０４に炭酸水が流入すると、この炭酸水は、旋回室４０４の内周壁面に沿った受力部位４１２周りの旋回流を引き起こす。この旋回流により、前述したように減圧効果が生じ、「気液分離作用」が生ずる。
【００９４】
円筒状の旋回室４０４の内径に対して、受力部位４１２の外径は、例えば、約４０％とすることができる。また、受力部位４１２の外径を旋回室４０４の内径の約３５〜８０％、好ましくは約４０〜７０％とすることができる。
【００９５】
受力体４１０を上記のように支持するシール部４１６は、Ｏリングやシールリング等の弾性体で構成されており、図示するように、吐水口４１１を旋回室４０４の外部に臨ませた状態で、受力体４１０を支持する。しかも、このシール部４１６は、弾性体であることから、受力体４１０を支持した上で、受力部位４１２を旋回室４０４内において各方向に傾斜可能とすると共に、この受力部位４１２を傾斜した姿勢で首振り可能とする。また、シール部４１６が弾性体であることから、受力体４１０は、旋回室４０４内部で受力体４１０自身が中心紬を中心に回転する自転や、シール部４１６による支持箇所を頂点として円錐状に回転を行なう公転等が自在に行なえるようになっている。これら自転や公転は、受力部位４１２と上記の旋回流で引き起こされる。
【００９６】
旋回室４０４の上壁は、図示するように受力体４１０の吐水部位４１０ａの側で小径とされたテーパガイド部４１５とされている。このテーパガイド部４１５は、受力部位４１２、延いては受力体４１０の最大傾斜角度を規制する。
【００９７】
次に、気液分離手段６における「吐水揺動作用」について、その動作を参照しつつ説明する。
図１６は、旋回室４０４に炭酸水が流入してからの受力部位４１２の挙動とこの受力部位４１２にかかる力の様子を時間経過に沿って説明する説明図である。同図において、旋回室流入路４０３の連通部での流速をＵｉｎ、旋回室流入路４０３の開口の延長線上にある周壁部位４０４ａでの流速をＵａ、当該部位に対向する周壁部位４０４ｂにおける流速をＵｂ、受力部位４１２に作用する揚力をＦＬ、抗力をＦＤとそれぞれ表した。
【００９８】
これらの作用関係から分かるように、受力部位４１２は、旋回室４０４における炭酸水の旋回流に応じて、傾斜姿勢のままで首振り公転する。
【００９９】
図１７は、受力部位４１２がこうした挙動を採ることで得られる吐水の様子を説明する説明図である。同図に表したように、受力体４１０が首振り公転を起こすと、吐水口４１１は、受力体４１０の首振り公転に伴い吐水方向を変えながら公転する。よって、吐水口４１１は、螺旋状に拡大した軌道を描きながら炭酸水を吐水し、その結果として、円錐状の公転吐水を実現する。従って、炭酸水の吐水軌跡を、吐水口４１１の軌跡よりはるかに大きい軌跡の円錐状の公転吐水の軌跡とし、広範囲に亘って炭酸水を吐出できる。つまり、吐水の方向が時間的に変動する「吐水揺動作用」が実現される。またこの時、受力部位４１２が旋回室４０４の中を公転運動することによって、例えば、図８に関して前述したような撹拌作用が得られ、気液分離が促進されるという効果も得られる。
【０１００】
本具体例の気液分離手段６によれば、ノズル自体をモータなどにより駆動させることなく円錐状の公転吐水を実現でき、これにより、広範囲にわたる炭酸水の着水が得られる。つまり、炭酸水の旋回流を利用して「吐水揺動作用」が得られる。炭酸水の着水点が広範囲に亘って変化することにより、人体に刺激を与え、高いマッサージ効果が得られる。
【０１０１】
またさらに、このように、旋回室４０４において炭酸水３００が旋回流を形成すると、遠心力の作用により、旋回室４０４の中心付近において気泡が成長する。すなわち、炭酸水に溶解してした炭酸ガスは、旋回流における圧力の低下により、炭酸水の中に微細な気泡として分散混入する。これら多数の微細な気泡は、旋回室４０４の中で、旋回流の遠心力による遠心分離作用により、旋回室４０４の中心付近に集まり、互いに合体して大きな気泡に成長する。すなわち、旋回室４０４において、「気液分離作用」が生ずる。
【０１０２】
このようにして形成された大きな気泡は、旋回室４０４に順次供給される炭酸水の圧力により吐水口４１１から吐出される。
図１８は、本具体例の気液分離手段６から吐出される炭酸水の状態を模式的に表した図である。すなわち、本具体例においては、「吐水揺動作用」により、着水点が時間とともに変動するので、固定点においては、図示したように断続的な着水が観測される。またさらに、吐水口４１１から吐出される炭酸水１１０には、微細気泡１０２に混ざって、大きな気泡１０４、１０６が断続的に混入するため、着水点における圧力が気泡の有無によっても連続的に変動する。つまり、「吐水揺動作用」によって着水が断続的に変化すると同時に、「気液分離作用」によって、着水時の着水圧が連続的に振動する。このような着水圧力の変化は、振動と同様の刺激を与え、人体に対して大きなマッサージ効果を有する。
【０１０３】
以上説明したように、本具体例の気液分離手段６は、旋回流を形成することにより着水点が時間とともに変動する「吐水揺動作用」を生じさせ、刺激とマッサージ効果を与える。同時に「気液分離作用」により、着水点における着水圧力が時間とともに断続的に変動することによる刺激とマッサージ効果を与える。これらにより、効果的な炭酸水の吐水が可能となる。
【０１０４】
またさらに、このように「気液分離作用」により、吐水の中に多量の気泡を含有させると、節水効果も得られる。すなわち、気泡を混在させることにより、同一の充填量により得られる吐水時間を長くすることができる。
【０１０５】
次に、本発明の吐水装置に適した気液分離手段６の第２の具体例について説明する。この具体例は、旋回流の運動エネルギを受力体の自転に転換させて積極的に受力体自転を図る点に特徴を有する。
【０１０６】
図１９（ａ）は、本具体例の気液分離手段６の横方向断面図であり、同図（ｂ）は、その縦方向断面図である。同図については、図１５乃至図１８に関して前述したものと同様の要素には同一の符号を付して詳細な説明は省略する。
【０１０７】
図１９に表したように、受力体４２０は、吐水口４１１を備えた小径円柱の吐水部位４２０ａに、受力部位４２２を連結して備える。この受力部位４２２は、四方に突出した羽根を有する。このような構成の受力部位４２２であっても、前述した周壁部位４０４ａと周壁部位４０４ｂとで流速差が起きること、羽根の横端面により旋回室４０４内周壁間隔を狭くすることから、受力体４２０の首振り公転に関与する。また、受力部位４２２は、その羽根で旋回流の受け止めを起こすことから、旋回室４０４内部の旋回流の運動エネルギーを受けて受力体４２０に自転を引き起こす。
【０１０８】
この受力体４２０にあっても、シール部４１６に吐水部位４２０ａを内接させた状態で支持されている。この支持状態で、吐水口４１１は旋回室４０４の外部に臨み、受力部位４２２は旋回室４０４内において傾斜した姿勢で首振り可能となる。つまり、受力体４２０は、シール部４１６の支持箇所を中心に、首振り公転すると共に、シール部４１６の発揮する弾性により、自転も可能である。
【０１０９】
次に、吐水の様子について説明する。
図２０は、受力体４２０を用いた気液分離手段６からの炭酸水の吐水の様子を説明する説明図である。
通水路４０２、旋回室流入路４０３を経て旋回室４０４に炭酸水を給水すると、既述したように旋回室４０４で旋回流が起きる。よって、上記の具体例と同様に、揚力によって受力部位４２２は傾斜姿勢で公転し、受力体４２０の首振り公転を引き起こす。その一方、旋回室４０４内部で生じた施回流は、その旋回の過程で受力部位４２２の羽根に衝突して、運動エネルギーの一部を与える。これにより、受力部位４２２は、受力体４２０を施回流と同方向に自転させる。
【０１１０】
こうして受力体４２０が自転することから、この自転に基づく遠心力が吐水口４１１からの吐水炭酸水に作用する。よって、吐水口４１１から吐水された後の炭酸水は、この遠心力を受けて拡散しながら飛散する。従って、図２０に表したように、この吐水自体の拡散軌跡と公転吐水の軌跡とが組み合うので、円錐状の公転吐水の軌跡に幅を持たせることができる。また、遠心力の作用の仕方を通して自転の回転数を調整することで、吐水炭酸水の拡散状況（拡散軌跡の広狭）を決めることができる。よって、受力部位４２２の羽根形状や大きさ等の調整で、吐水の水滴の大きさや振動による強さや刺激をコントロールすることが可能となる。
【０１１１】
このように、本具体例の気液分離手段６においても、着水位置や着水圧力が時間とともに変動することによる刺激とマッサージ効果が得られる。また、この場合も、旋回室４０４において気液分離作用により気泡の成長が促進され、その気泡を含有した気泡流による刺激とマッサージ効果が得られる。
【０１１２】
また、本具体例の如く受力体４２０が自公転運動をする場合、受力体４２０の断面形状に応じて動作状態が変化し、それによる気液分離作用も変化する。
【０１１３】
図２１は、受力体４２０の自転軸に対して垂直方向の断面を例示する模式図である。
すなわち、同図（ａ）の如く受力体４２０が円形断面を有する場合、自転運動よりも公転運動が顕著である。すなわち、受力体４２０を高速で公転させることができる。すると、その撹拌作用により、気液分離が促進され、大きな気泡が得られる。これに対して、同図（ｂ）、（ｃ）及び（ｄ）の如く、受力体４２０の断面形状が、六角形、四角形、三角形と変化するにつれて、自転運動が顕著に生ずるようになる。すると、図９に関して前述したような気泡の分断効果が生じ、気泡径が制御される。さらに、図２１（ｅ）の如く、受力体４２０が羽根車に形成されると、高速で自転し、これにともなう気泡の分断効果も高くなる。
【０１１４】
次に、本発明の吐水装置に適した気液分離手段６の第３の具体例について説明する。この具体例は、受力体の公転運動のみによって略円錐状の旋回吐水を形成可能とした点に特徴を有する。
【０１１５】
図２２は、具体例の気液分離手段を表す縦断面図であり、図２３は、その要部拡大図である。
図示するように、本具体例の気液分離手段６は、旋回室４０４に受力体４２２を備える。またさらに、受力体４２２を吐水口４２３側で支持する可撓性の弾性体４２４を有する。この弾性体４２４は、合成ゴムや熱可塑性エラストマーで成形されており、薄肉の屈曲部４２５を設けることで容易に変形する。
【０１１６】
弾性体４２４は、屈曲部４２５の据部分を厚肉の固定部４２６としており、この固定部４２６を弾性体抑え４２７で押さえつけて洗浄ノズル４２０に固定されている。また、弾性体４２４は、中央に筒状の把持部４２８を備え、この把持部４２８に受力体４２２の先端小経部４２９を嵌合させて、受力体４２２を支持する。よって、受力体４２２は、前述した受力体と同様、首振り公転可能とされている。なお、旋回室４０４の天井側には、受力体４２２の傾きを規定するためのテーパガイド部４３０が固定されている。
【０１１７】
このような気液分離手段６によれば、次の利点がある。
図２４は、気液分離手段６がもたらす効果を説明するための説明図である。　旋回室４への給水が行われると、既述したように受力体４２２は首振り公転し、この際、旋回室４は液体で満水状態にある。従って、旋回室内の液体は、テーパガイド部４３０と受力体４２２との隙間を通って弾性体４２４の把持部４２８周囲に達し、液体圧力を把持部４２８外壁に及ぼす。把持部４２８は、この液体圧力を受けて、嵌合済みの先端小径部４２９を図中矢印で示すように外部から締め付けるので、受力体４２２と弾性体４２４とのシール性を高める。この結果、受力体シールの信頼性が高まり、把持部４２８からの液体や気泡の滴洩を好適に且つ確実に抑制できる。
【０１１８】
本発明の場合、気液分離作用により液体における気泡の含有比率が高いので、ガスの漏洩を防止できる点で特に有益であるといえる。しかも、把持部４２８からの液体の漏洩を起こさないので、吐水口４２３からの公転吐水をこの漏洩液体で乱さないようにできるので、公転吐水の安定化に有益である。更には、受力体４２２を弾性体４２４で支持するに当たり接着を要しないので、接着剤およびその塗布工程も不要となる。よって、気液分離手段６の製造工程や組み付け工程の簡略化を図ることもでき、コスト低減にも有益である。また、上記の締め付けにより、受力体４２２の自転を確実且つ容易に阻止できる。
【０１１９】
本具体例の気液分離手段６は、次のように更に変形することができる。
図２５は、本変形例の気液分離手段が有する弾性体４２４と受力体４２２を表す説明国である。図示するように、この変形例では、弾性体４２４は、把持部４２８に切欠４２８ａを備え、受力体４２２は、先端小径部４２９に上記の切欠４２８ａに蔽合する凸条４２９ａを有する。こうすれば、弾性体４２４で支持した受力体４２２をその紬周りに回転しないようにできるので、受力体の自転を抑制したい場合には有益である。
【０１２０】
次に、本発明の吐水装置に適した気液分離手段６の第４の具体例について説明する。この具体例は、羽根を有する受力体の自公転運動によって略円錐状の旋回回転吐水を形成可能とした点に特徴を有する。
【０１２１】
図２６（ａ）は、本具体例の気液分離手段６の縦断面図である。また、同図（ｂ）は、その受力体４２２を下方から眺めた模式図である。
同図に表したように、本具体例においては、受力体４２２の下面に羽根４２２ｆが設けられている。そして、流入室４０４の下方から通水路３を介して液体が流入する。すなわち、受力体４２２に対して、下方から液体が流れ込み、羽根４２２ｆに作用力を及ぼすことにより、受力体４２２に自転力が与えられる。受力体４２２が自転すると、流入室４０４の上部において受力体４２２を支持する当接部４３３との間で転がり力が発生し、受力体４２２は、当接部４３３を支点とした首振り公転運動を開始する。つまり、受力体４２２は、自らの自転運動に誘因されて首振り公転運動を開始する。
【０１２２】
本具体例の場合、受力体４２２の首振り公転運動による撹拌効果に加えて、液体が受力体４２２の羽根４２２ｆにより撹拌されることによる高い撹拌効果も得られる。一方、受力体４２２が公転運動することにより、流入室４０４の中には、旋回流成分が発生する。従って、この旋回流成分による遠心分離効果も得られる。
【０１２３】
次に、本発明の吐水装置に適した気液分離手段６の第５の具体例について説明する。この具体例は、受力体の自転運動のみによって略円錐状の旋回吐水を形成可能とした点に特徴を有する。
【０１２４】
図２７（ａ）は、本具体例の気液分離手段６の横方向断面図であり、同図（ｂ）は、その縦方向断面図である。
また、図２８は、本具体例の吐水ノズルからの炭酸水の吐水の様子を説明する説明図である。これらの図については、図１５乃至図２０に関して前述したものと同様の要素には同一の符号を付して詳細な説明は省略する。
【０１２５】
本具体例の気液分離手段６においては、受力体４２０は、その下端がハウジングに軸受け支持され、羽となる受力部位４２２が炭酸水の旋回流を受けることによって、軸Ｃ−Ｃの周りに自転運動をする。そして、受力体４２０には、斜め上方に向けて偏心して開口した吐水口４１１が設けられ、受力体４２０の自転運動にともなって、略円錐状に炭酸水を吐水する。
本具体例の気液分離手段６においても、着水位置や着水圧力が時間とともに変動することによる刺激とマッサージ効果が得られる。また、この場合も、旋回室４０４において「気液分離作用」により気泡の成長が促進され、その気泡を含有した気泡流による刺激とマッサージ効果が得られる。
【０１２６】
次に、本発明の吐水装置に適した気液分離手段６の第６の具体例について説明する。この具体例は、受力体の自転運動のみによって略円柱状の旋回吐水を形成可能とした点に特徴を有する。
【０１２７】
図２９（ａ）は、本具体例の気液分離手段６の横方向断面図であり、同図（ｂ）は、その縦方向断面図である。
また、図３０は、本具体例の気液分離手段６からの炭酸水の吐水の様子を説明する説明図である。これらの図については、図１５乃至図２８に関して前述したものと同様の要素には同一の符号を付して詳細な説明は省略する。
本具体例の気液分離手段６においても、受力体４２０は、その下端がハウジングに軸受け支持され、羽となる受力部位４２２が炭酸水の旋回流を受けることによって、軸Ｃ−Ｃの周りに自転運動をする。そして、受力体４２０には、略垂直上方に向けて偏心して開口した吐水口４１１が設けられている。この吐水ノズルの場合、受力体４２０の自転運動にともなって、略円柱状に炭酸水を吐水する。
【０１２８】
本具体例の気液分離手段の場合、限定した範囲内に旋回吐水する用途に適している。そして、本具体例の気液分離手段６においても、着水位置と着水圧力とがそれぞれ時間とともに変動することによる刺激とマッサージ効果が得られる。また、この場合も、旋回室４０４において「気液分離作用」により気泡の成長が促進され、その気泡を含有した気泡流による刺激とマッサージ効果が得られる。
【０１２９】
以上、「気液分離作用」と「吐水揺動作用」とを併せ持つ気液分離手段６について説明した。
以下、このような気液分離手段６を備えた本発明の吐水装置の実施例について説明する。
図３１は、本発明の第１の実施例にかかる吐水装置の断面構造を表す模式図である。
すなわち、本実施例の吐水装置は、容器１と、容器１の口１ａに係合し、容器１と共働して密閉空間を形成する蓋２と、を備えている。容器１には、貯水すべき水位を規定する目盛１′が形成され或いは表示されている。一方、蓋２には、通水路３が形成されている。通水路３の一端は、容器１内の密閉空間に連通可能であり、他端は密閉空間外で開口し、その吐水端部に気液分離手段６が設けられている。
【０１３０】
この吐水装置は、また、通水路３を開閉する開閉弁４と、通水路３の途上に配設された減圧装置７と、を備えている。減圧装置７は、多孔質体、定流量弁、調圧弁等により構成されている。通水路３の蓋２から突出する部分が、吐水ノズル８を構成している。また、吐水端部に設けられた気液分離手段６としては、例えば、図１５乃至図３０に関して前述したように「気液分離作用」と「吐水揺動作用」とを併せ持つものを用いることができる。
また、開閉弁４を手動操作するための操作スイッチ５が蓋２に取り付けられている。そして、吐水ノズル８を保護すると共に携帯の際にノズルや蓋２に付着した水が衣類を濡らすのを防止するためのキャップ３０が、蓋２に装着されている。
【０１３１】
また、本実施例の吐水装置は、容器１の口１ａに挿入して装着可能な薬剤フォルダー９を備えている。薬剤フォルダー９の囲壁には複数の小穴９ａが形成されている。薬剤フォルダー９の中には、例えば炭酸塩と有機酸とを主成分とする粒状などの発泡薬剤１００が、収納されている。
【０１３２】
次に、本実施例の吐水装置の作動を説明する。
図３１に表したように、使用者は、蓋２を容器１から取り外し、薬剤フォルダー９を容器１の口１ａから取り外し、目盛１′の水位まで容器１に注水する。次いで、発泡薬剤１００が収容された薬剤フォルダー９を口１ａに装着する。薬剤フォルダー９の内部空間は、複数の小穴９ａを介して容器１の内部空間に連通する。その後、蓋２を口１ａに係合させることにより、蓋２と容器１とが共働して密閉空間を形成する。密閉空間内には、空気層と液体層とが形成される。なおこの密閉空間は、蓋２と口１ａとの当接部に設けられたＯリングにより保持される。　次に、図３２（ａ）に表したように、使用者は、吐水装置を逆さまにし、若しくは傾けて、蓋２を下方へ差し向け、吐水装置を軽く揺する。密閉空間内の液体が小穴９ａを介して薬剤フォルダー９へ直ちに流入し、発泡薬剤１００と接触する。すると、発泡薬剤１００と液体とが反応して、炭酸ガスが発生する。
【０１３３】
このようにして発生した炭酸ガスは、前記密閉空間内の液体に溶解すると共に、前記密閉空間内の空気層に合流して、空気層の圧力を上昇させ、前記密閉空間内の液体を加圧する。
【０１３４】
次に、図３２（ｂ）に表したように、発泡薬剤と液体との反応が概ね終了した後、使用者は、逆さまにした状態で吐水装置を手で持ち、キャップ３０を蓋２から取り外し、吐水ノズル８の先端を所望の処理部位へ差し向ける。
【０１３５】
使用者が、操作スイッチ５を押圧して開閉弁４を開くと、加圧された液体が、薬剤フォルダー９と蓋２との間の隙間を通って通水路３へ流入し、開閉弁４を通過し、減圧装置７に到達する。減圧装置７を通過する際の圧力損失により、減圧した液体中で、溶存していた炭酸ガスが気化して気泡が発生する。つまり、減圧装置７において、まず第１の気液分離作用が得られる。発生した気泡は微細気泡となって、液体中に分散混入する。さらに、このような微細気泡を含有した炭酸水は、気液分離手段６において、「気液分離作用」を受け、大きな気泡が混入した気泡流が形成される。またさらに、「吐水揺動作用」により吐水方向または着水位置が時間とともに変化するように吐水される。
【０１３６】
その結果として、多数の気泡が分散混入した液体の気泡流が吐水ノズル８の先端から吐出する。適度に大きな気泡が分散混入された気泡流により、刺激があり且つ柔らな感触の吐水が得られる。また、図１４に関して前述したように、界面活性剤などを適宜添加することにより、気液分離手段６の作用によって、泡状またはクリーム状の炭酸水を得ることも可能である。
【０１３７】
本実施例に係る吐水装置によれば、目盛１′の水位まで容器１に注水し、発泡薬剤１００が収納された薬剤フォルダー９を口１ａに装着することにより、施蓋前の錠貯留液体と薬剤フォルダー９との接触を防止することができる。そして、容器１を施蓋して密閉空間を形成し、容器１を逆さまにして発泡薬剤１００と液体タンク内の水とを接触させることにより、発泡薬剤１００と液体の反応開始時期を、施蓋による密閉空間の形成後に規制することができる。従って、発生したガスが、施蓋前に散逸するおそれは無い。
よって、溶解速度の速い粉状、粒状あるいは顆粒状などの発泡薬剤を用いることができ、これらを迅速に溶解させて短時間で使用を開始できる。
また、液体の貯留水位を目盛１′の位置に規制することにより、密閉空間内に適正体積の空気層が形成され、密閉空間の内圧が適正化される。この結果、液体吐出圧が過大になり、或いは過少になる事態の発生が防止される。
吐水装置を逆さまにして使用することにより、吐水中に、通水路３の一端を液体面よりも常時下方に位置させることができる。この結果、容器１内の液体を使い切ることができる。蓋２と口１ａとの当接部に配設されたＯリングも、吐水の終了直前まで液体面よりも下方に位置するので、吐水の終了直前まで前記当接部の良好なシール性が確保される。
【０１３８】
薬剤フォルダー９の内部空間は、容器の口１ａに薬剤フォルダー９を装着する際に容器１の内部空間と連通するので、施蓋後に吐水装置を逆さにし或いは傾けると、連通部である多数の小穴９ａを介して薬剤フォルダー９へ液体が直ちに侵入し、発泡薬剤１００が液体に接触して両者の反応が直ちに開始され、密閉空間が直ちに加圧される。そして、加圧された炭酸水などの液体は、通水路３を介して外部に吐出される。
本具体例においては、薬剤フォルダー９に小穴９ａが設けられているので、容器１の中の液体は、図３２（ｂ）に矢印Ｗで表したように、小穴９ａを介して通水路３に送出され、吐出される。つまり、小穴９ａは、液体に発泡薬剤１００を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡薬剤１００が収納される空間を吐水経路とすることにより、発泡薬剤１００を確実に溶解させ、且つ、僅かに生じうる発泡薬剤１００の残渣などを通水路３を介して外部に排出させることもできる。
通水路３と開閉弁４とが蓋２に配設されているので、容器１を樹脂又は金属で一体成形して吐水装置の耐圧強度を高めることができる。
【０１３９】
本発明においては、発泡薬剤１００の粒径を小さくすると、水に対する溶解速度が上昇し、密閉空間の加圧速度が上昇し、吐水装置の使用直前の待機時間が短縮される。粒径の小さな発泡薬剤１００を使用する場合には、薬剤フォルダー９を金属メッシュで構成するのが望ましい。収納容器の囲壁に多数の微細小穴を形成する手間を省くことができる。発泡薬剤１００の粒径を大きくすると、発泡薬剤１００の取り扱いが容易になると共に、薬剤フォルダー９の囲壁に形成する小穴の径も大きくなるので、小穴の形成が容易になる。この場合には、薬剤フォルダーを樹脂成形するのが望ましい。
【０１４０】
本実施例の吐水装置は、図３２（ｂ）に表したように逆さまにして使用できるので、人体の下半身や足などに向けて使用するのに適している。また、本実施例においては、減圧装置７を設けることにより、炭酸水などの液体がこれを通過する際に減圧作用により多量の微細気泡量を発生させ、これを気液分離手段６に送り込むことにより、気泡の生成をさらに促進する。さらに、「吐水揺動作用」により刺激のある吐水感や、広範囲に亘る吐水が得られるという効果も得られる。
【０１４１】
図３３は、薬剤フォルダーの他の具体例を表す模式断面図である。
液状の発泡薬剤を使用する場合には、同図（ａ）に表したように、液状の発泡薬剤１００が収納された薬剤フォルダー９′の口を、シール材９ａ′でシールしておき、注水後の容器１の口１ａに薬剤フォルダー９′を装着する際に、シール材９ａ′を剥がせば良い。薬剤フォルダー９′のフランジに小穴９ｂ′を形成しておけば、小穴９ｂ′を介して薬剤フォルダー９′の内部空間と容器１の内部空間とが確実に連通し、吐水装置を逆さまにし若しくは傾けると、発泡薬剤と水とが迅速且つ確実に接触する。加圧液体は、小穴９ｂ′と、薬剤フォルダー９′と蓋２との間の隙間とを通って通水路３へ流入する。
【０１４２】
粉状の発泡薬剤を使用する場合には、図３３（ｂ）に表したように、粉状の発泡薬剤１００が収納された有底筒状の薬剤フォルダー９″のフランジに小穴９ｂ″を形成するとよい。あるいは、図３３（ｃ）に表したように、粉状の発泡薬剤１００が収納された有底筒状の薬剤フォルダー９″の周壁に小穴９ｃ″を形成してもよい。このようにすれば、薬剤フォルダー９″を容器の口１ａに装着する際に、小穴９ｂ″、９ｃ″を介して薬剤フォルダー９″の内部空間と容器１の内部空間とが連通し、吐水装置を逆さまにし若しくは傾けると、発泡薬剤と水とが迅速且つ確実に接触する。加圧液体は、小穴９ｂ″、９ｃ″と、薬剤フォルダー９″と蓋２との間の隙間とを通って通水路３へ流入する。
【０１４３】
図３３（ｃ）に表した薬剤フォルダー９″の場合も、小穴９ｃ″は、液体に発泡薬剤１００を溶解させるための経路であると同時に、溶解して形成された加圧水の吐出経路としての役割も果たす。その結果として、吐水経路を別途設ける必要がなくなるので、吐水装置を小型化できるという利点がある。またさらに、発泡薬剤１００が収納される空間を吐水経路とすることにより、発泡薬剤１００を確実に溶解させ、且つ、僅かに生じうる発泡薬剤１００の残渣などを通水路３を介して外部に排出させることもできる。
次に、本発明の第２実施例に係る吐水装置について説明する。
【０１４４】
図３４は、本発明の第２の実施例の吐水装置の断面を表す模式図である。すなわち、本実施例に係る吐水装置も、容器１の口１ａに挿入して装着可能な、薬剤フォルダー９を備えている。また、Ｏリング５２が薬剤フォルダー９の底部周壁に外嵌している。薬剤フォルダー９の開放端近傍の側壁には、小穴９ａが形成されている。容器１の口１ａに接続する肩部１ｂに、半円環状のストッパー５３が外嵌合している。薬剤フォルダー９の周壁外面と容器の口１ａの周壁内面との間の環状隙間により、肩部１ｂより下方の容器１の内部空間と薬剤フォルダー９の小穴９ａとの間の連通路５４が形成されている。
これらの相違点を除き、本実施例の吐水装置の構造は、前述した第１実施例の吐水装置の構造と同様とすることができる。
【０１４５】
次に、本実施例の吐水装置の作動について説明する。
使用者はまず、蓋２を容器１から取り外し、粒状の発泡薬剤１００が収納された薬剤フォルダー９を容器１の口１ａから取り外し、装着状態の薬剤フォルダー９の底部に達しない水位まで容器１に注水する。
【０１４６】
次いで、薬剤フォルダー９を口１ａに装着する。図１８（ａ）から分かるように、この状態においては、Ｏリング５２が口１ａの周壁内面に当接し、連通路５４を閉じる。
次に、使用者は、蓋２を口１ａに係合させる。蓋２がストッパー５３に当接することにより、蓋２による薬剤フォルダー９の押圧が停止される。この結果、Ｏリング５２が口１ａの周壁内面に当接する状態が維持され、連通路５４が閉じた状態が維持される。蓋２と容器１とが共働して密閉空間を形成する。密閉空間内には、空気層と液体層とが形成される。
【０１４７】
この吐水装置を使用する際には、使用者は、図３４（ｂ）に表したように、ストッパー５３を取り外し、蓋２を容器１の肩部１ｂへ向けて押す。すると、蓋２が、薬剤フォルダー９を押圧して口１ａ内へ押し込む。Ｏリング５２と口１ａの周壁内面との当接状態が解除され、連通路５４が開かれる。
次に、使用者は、吐水装置を逆さまにし、若しくは傾けて、蓋２を下方へ差し向ける。すると、密閉空間内の液体が連通路５４と小穴９ａを介して薬剤フォルダー９へ流入し、発泡薬剤１００と接触する。発泡薬剤１００と液体とが反応して、炭酸ガスが発生する。炭酸ガスは前記密閉空間内の液体に溶解すると共に、前記密閉空間内の空気層に合流して、空気層の圧力を上昇させ、前記密閉空間内の液体を加圧する。
発泡薬剤１００が液体に概ね溶解した後、使用者は、逆さまにした状態で吐水装置を手で持ち、キャップ３０を蓋２から取り外し、吐水ノズル８の先端を所望の処理部位へ差し向ける。使用者は、操作スイッチ５を押圧して開閉弁４を開く。
【０１４８】
すると、加圧された液体が、薬剤フォルダー９と蓋２との間の隙間から通水路３へ流入し、開閉弁４を通過し、減圧装置７に到達する。減圧装置７を通過する際の圧力損失により減圧した液体中で、溶存していた炭酸ガスが気化して気泡が発生する。気泡は微細気泡となって液体中に分散混入する。多数の微細気泡が分散混入した液体は、気液分離手段６に送られ、「気液分離作用」により大きな気泡が形成される。そして、「吐水揺動作用」により、吐水方向や着水位置が時間的に変化するように気泡流が吐出する。その結果として、大きな気泡が分散混入された刺激がある吐水が得られる。
【０１４９】
本実施例に係る吐水装置においては、口１ａに装着された状態の薬剤フォルダー９の底部に達しない水位まで容器１に注水し、発泡薬剤１００が収納された薬剤フォルダー９を口１ａに装着し、容器１を施蓋して、密閉空間を形成し、次いで発泡薬剤１００と液体タンク内の液体とを接触させることにより、発泡薬剤１００と液体の反応開始時期を、施蓋による密閉空間の形成後に規制することができる。従って、発生したガスが、施蓋前に散逸するおそれは無い。
【０１５０】
また、容器１に注水し、発泡薬剤１００を入れた薬剤フォルダー９を容器の口１ａに装着し、施蓋して密閉空間を形成し、薬剤フォルダー９の内部空間と容器１の内部空間との間の連通路５４をＯリング５２により閉じ、連通路５４が閉じた状態をストッパー５３により維持しておけば、直ちに使用できる状態の吐水装置を持ち歩くことができる。使用時にはストッパー５３を取り外して連通路５４を開き、容器１を逆さまにすれば、薬剤フォルダー９内の発泡薬剤１００が液体に接触して両者の反応が開始される。
【０１５１】
一方、本実施例に係る吐水装置において、薬剤フォルダー９を容器１の口１ａに装着した後施蓋するのに代えて、蓋２に薬剤フォルダー９の係止部を形成し、薬剤フォルダー９を蓋２に装着した後施蓋するように構成しても良い。
【０１５２】
次に、本発明の第３実施例に係る吐水装置について説明する。
図３５は、本発明の第３の実施例の吐水装置の断面を表す模式図である。
すなわち、本実施例の吐水装置は、容器１の口１ａに載置して装着可能な薬剤フォルダー９を備えている。薬剤フォルダー９の囲壁には複数の小穴９ａが設けられている。発泡薬剤１００は、薬剤フォルダー９に収納されている。蓋２に、薬剤フォルダー９を収容すると共に適正量の空気層を形成するための凹部２′が形成されている。これら相違点を除き、本実施例の吐水装置の構造は、第１実施例の吐水装置の構造と同様である。
【０１５３】
本実施例の吐水装置においても、発泡薬剤１００の液体への溶解の開始時期を、施蓋による密閉空間の形成後に規制することができる。薬剤フォルダー９を口１ａに載置して装着した状態で、薬剤フォルダー９の底部が口１ａの開放端近傍に在るので、容器１に、口１ａの開放端近傍まで注水しても、水位は薬剤フォルダー９の底部に達しない。従って、容器１に満杯状態まで注水することができ、多量の液体を吐出することができる。
【０１５４】
蓋２の凹部２′内に適正量の空気層が形成されるので、密閉空間の内圧が過大になり、液体吐出圧が過大になるおそれは無い。手歩に凹部加圧液体は、薬剤フォルダー９と蓋２との間の隙間を通って通水路３へ流入する。
【０１５５】
そして、吐水端部に気液分離手段６を設けることにより「気液分離作用」が得られ、大きな気泡が混入した気泡流が形成される。その結果として、多数の気泡が分散混入した液体の気泡流が吐水ノズル８の先端から吐出する。またさらに、「吐水揺動作用」により、着水点が時間とともに変化し、大きな気泡が分散混入された気泡流が断続的に吐水され、刺激がある吐水が得られる。また、図１４に関して前述したように、界面活性剤などを適宜配合することにより、気液分離手段６の作用によって、泡状またはクリーム状の炭酸水を得ることも可能である。
【０１５６】
次に、本発明の第４実施例に係る吐水装置について説明する。
図３６は、本発明の第４の実施例の吐水装置の容器部分の断面を表す模式図である。
すなわち、本実施例の吐水装置は、容器１の口１ａに挿入して装着可能な発泡薬剤把持具９を備えている。発泡薬剤把持具９は複数の把持爪９ｂを備えている。発泡薬剤把持具９のフランジに複数の小穴９ａが形成されている。これら相違点を除き、本実施例の吐水装置の構成は、第１実施例の吐水装置の構造と同様とすることができる。
【０１５７】
本実施例の吐水装置においては、把持爪９ｂで塊体状の発泡薬剤１００を把持した発泡薬剤把持具９を、容器１の口１ａに挿入して装着する。容器１を施蓋して密閉空間を形成した後、吐水装置を逆さまにし、若しくは傾けて、発泡薬剤１００と水とを接触させ、両者の反応を開始させる。加圧液体は、小穴９ａと、発泡薬剤把持具９と蓋２との間の隙間とを通って、通水路３へ流入する。
【０１５８】
次に、本発明の第５実施例に係る吐水装置について説明する。
図３７は、本発明の第５の実施例の吐水装置の断面を表す模式図である。
すなわち、本実施例の吐水装置は、蓋２に形成された係合突起２ａに係合可能な係合突起９ｃを有する薬剤フォルダー９を備えている。薬剤フォルダー９の囲壁に多数の小穴９ａが形成されている。粒状の発泡薬剤１００が薬剤フォルダー９に収納されている。蓋２に、吐水装置と同様の凹部２′が形成されている。これら相違点を除き、本実施例の吐水装置の構造は、第１実施例の吐水装置の構造と同様とすることができる。
【０１５９】
本実施例の吐水装置においては、係合突起９ｃを係合突起２ａに係合させて、発泡薬剤１００を収納した薬剤フォルダー９を蓋２に装着する。容器１を施蓋して密閉空間を形成した後、吐水装置を逆さまにし、若しくは傾けて、発泡薬剤１００と水とを接触させ、両者の反応を開始させる。加圧液体は、薬剤フォルダー９と蓋２との間の隙間を通って、通水路３へ流入する。薬剤フォルダー９を蓋２に装着するので、容器１に、満水状態まで注水できる。
薬剤フォルダー９に代えて、第４実施例の発泡薬剤把持具９と同様の塊体状の発泡薬剤を把持した発泡薬剤把持具を、薬剤フォルダー９と同様の態様で、蓋２に装着しても良い。
【０１６０】
次に、本発明の第６実施例に係る吐水装置について説明する。
図３８は、本発明の第６の実施例の吐水装置の断面を表す模式図である。
すなわち、本実施例の吐水装置は、蓋２に形成された複数の把持爪９ｂから成る発泡薬剤把持部９を備えている。発泡薬剤把持部９により塊体状の発泡薬剤１００が把持される。蓋２に、第３実施例の吐水装置と同様の凹部２′が形成されている。発泡薬剤把持部９は、施蓋により、容器１の内部空間に直接対峙する。これら相違点を除き、本実施例の吐水装置の構造は、第１実施例の吐水装置の構造と同様とすることができる。
【０１６１】
本実施例の吐水装置においては、発泡薬剤把持部９に塊体状の発泡薬剤１００を把持させる。容器１を施蓋して密閉空間を形成した後、吐水装置を逆さまにし、若しくは傾けて、発泡薬剤１００と液体とを接触させ、両者の反応を開始させる。発泡薬剤１００を蓋２に装着するので、容器１に、満水状態まで注水できる。発泡薬剤把持部９は施蓋により容器１の内部空間に直接対峙するので、発泡薬剤把持部９に装着された発泡薬剤１００も施蓋により容器１の内部空間、ひいては当該内部空間に貯留された液体に直接対峙する。この結果、発泡薬剤１００と液体との接触により発泡薬剤１００が速やかに液体全体に溶解し、蓋２と容器１とが共働して形成した密閉空間が速やかに加圧される。
【０１６２】
そして、気液分離手段６を設けることにより「気液分離作用」が得られ、大きな気泡が混入した気泡流が形成される。またさらに、「吐水揺動作用」により、着水点が時間とともに変化する。その結果として、刺激がある吐水が得られる。また、図１４に関して前述したように、界面活性剤などを適宜配合すると、気液分離手段６の作用によって、泡状またはクリーム状の炭酸水を得ることも可能である。
【０１６３】
次に、本発明の第７実施例に係る吐水装置について説明する。
図３９は、本発明の第７の実施例の吐水装置の断面を表す模式図である。　　すなわち、本実施例の吐水装置は、蓋２に形成された固定爪９ｂと、蓋２に取り付けられた可動爪９ｃとを有する発泡薬剤把持具９を備えている。可動爪９ｃは、蓋２の囲壁を貫通している。可動爪９ｃの蓋２外へ突出した端部に操作ツマミ９ｄが取り付けられている。蓋２に、第３実施例の吐水装置と同様の凹部２′が形成されている。これら相違点を除き、本実施例の吐水装置の構造は、第１実施例の吐水装置の構造と同様とすることができる。
【０１６４】
本実施例の吐水装置においては、発泡薬剤把持具９の固定爪９ｂと可動爪９ｃとに塊体状の発泡薬剤１００を把持させる。容器１を施蓋して密閉空間を形成した後、ツマミ９ｄを外側へ引いて可動爪９ｃを発泡薬剤１００から離脱させる。発泡薬剤１００が容器１内の液体中に落下し、発泡薬剤１００が水に接触し、両者の反応が開始する。容器１を逆さまにしなくても、発泡薬剤″と液体との反応を開始させることができる。
【０１６５】
次に、本発明の第８実施例に係る吐水装置について説明する。
図４０は、本発明の第８の実施例の吐水装置の断面を表す模式図である。
すなわち、本実施例の吐水装置は、容器１の口１ａとは異なる部位に形成された発泡薬剤投入口１ｃと、発泡薬剤投入口１ｃに装着可能な蓋９と、発泡薬剤投入口１ｃを開閉する開閉弁２１とを備えている。蓋９は、薬剤フォルダーを兼ね、また突起９ｂを有する。開閉弁２１は、バネ２１ａにより通常閉状態に付勢されている。これら相違点を除き、本実施例の吐水装置の構造は、第１実施例の吐水装置の構造と同様とすることができる。
【０１６６】
本実施例の吐水装置においては、バネ２１ａの付勢力の下に、開閉弁２１により発泡薬剤投入口１ｃを閉じ、粒状や液状などの発泡薬剤１００を入れた蓋９を発泡薬剤投入口１ｃに螺合装着し、容器１に水を入れ、施蓋して密閉空間を形成しておく。使用時には、蓋９を発泡薬剤投入口１ｃに更に深くまで螺合させる。突起９ｂが開閉弁２１に当接し、バネ２１ａの付勢力に抗して開閉弁２１を駆動し、発泡薬剤投入口１ｃを開く。発泡薬剤１００と液体とが接触し、発泡薬剤１００の溶解が開始する。
【０１６７】
バネ２１ａの付勢力の下に、開閉弁２１により発泡薬剤投入口１ｃを閉じ、粒状や液状などの発泡薬剤１００を入れた蓋９を発泡薬剤投入口１ｃに螺合装着し、容器１に水を入れ、施蓋して密閉空間を形成しておくことにより、直ちに使用可能な吐水装置を持ち歩くことができる。
【０１６８】
そして、気液分離手段６を設けることにより「気液分離作用」が得られ、大きな気泡が混入した気泡流が形成される。またさらに、「吐水揺動作用」により、着水点を時間とともに変化させることができる。その結果として、刺激がある吐水が得られる。また、図１４に関して前述したように、界面活性剤などを適宜配合すると、気液分離手段６の作用によって、泡状またはクリーム状の炭酸水を得ることも可能である。
【０１６９】
図４１は、本実施例の変型例を表す模式図である。同図については、図４０に表したものと同様の要素については、同一の符号を付して詳細な説明は省略する。　本変形例の吐水装置の場合、通水路３の一部は容器１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。
このようにすれば、図４１に表したように吐水ノズル８を上にして吐水装置を使用しても、或いは吐水ノズル８を下にして吐水装置を使用しても、或いは吐水ノズル８を横にして吐水装置を使用しても、錘４２が取り付けられたチューブ４０の一端は錘４２に引かれて確実に没水し、吐水ノズル８から確実に気泡流が吐出する。
【０１７０】
後に詳述するように、本変型例の吐水装置は、炭酸ガスなどを含有した発泡水を頭部や顔あるいは上半身などに噴出塗布する用途に適している。この場合は、図４１に表したように、吐水ノズル８を上にして使用できる。
【０１７１】
一方、本変型例の吐水装置は、下半身や足指、爪などに対する使用にも適している。この場合には、吐水ノズル８を下にし、ノズル８先端の吐水口を斜め上方または下方に差し向けて吐水装置を使用することになるが、前述の如く錘４２が取り付けられたチューブ４０の一端は確実に水没するので、吐水ノズル８から確実に気泡流が吐出する。
【０１７２】
これらいずれの場合にも、気液分離手段６により大きな気泡を含有し揺動吐水された炭酸水による血行促進効果や洗浄効果などが得られる。また、炭酸水のｐＨを２〜３に調整すれば、角質除去効果や殺菌効果が得られる。
【０１７３】
図４２は、容器１内に延在するチューブの先端付近の変型例を表す模式断面図である。同図に表したように、チューブ４０の先端近傍に取り付けられた錘４２に、浮体４４を取り付けても良い。通水路３を形成するチューブ４０の先端が浮体４４の下側になり確実に没水するので、確実に気泡流を吐水することができる。
【０１７４】
次に、本発明の第９実施例に係る吐水装置について説明する。
図４３は、本発明の第９の実施例の吐水装置の断面を表す模式図である。
本実施例の吐水装置は、粉状、粒状、塊状あるいは液体状の発泡薬剤１００を収容した有底筒状の薬剤フォルダー９を、容器１の口１ａに設置可能としている。一方、蓋２には、薬剤フォルダー９の遊動空間Ｓが形成されている。薬剤フォルダー９のフランジ部を口１ａに係合させて薬剤フォルダー９を容器の口１ａに装着し、施蓋して密閉空間を形成した後に薬剤フォルダー９を遊動空間Ｓ内で遊動させて、薬剤フォルダー９の内部空間を容器１の内部空間と連通させても良い。
【０１７５】
図４４は、本実施例の吐水装置の使用方法を説明する模式図である。
施蓋後に吐水装置を逆さにし或いは傾けると、薬剤フォルダー９が液体貯留タンクの口１ａから離れて遊動空間Ｓへ移動する。薬剤フォルダー９のフランジが口１ａから離れることにより、液体が遊動空間Ｓへ流入し、遊動空間Ｓ内で発泡薬剤１００が液体に接触して両者の反応が開始される。施蓋前は、薬剤フォルダー９のフランジが口１ａに当接することにより薬剤フォルダー９は、液体から隔絶されるので、容器１内の液体と発泡薬剤１００との接触が阻止されている。従って、発泡薬剤１００と液体との反応開始時期を確実に施蓋後とすることができる。
【０１７６】
通水路３の容器１内部空間への開口端を遊動空間Ｓの端部や側面に開口させ、または、複数の開口を設けることにより、図４４（ｂ）に表した状態において、通水路３の開口と薬剤フォルダー９との干渉を防ぎ、通水路３の開口が薬剤フォルダー９により塞がれるという問題を回避できる。
【０１７７】
次に、本発明の第１０実施例に係る吐水装置について説明する。
図４５は、本発明の第１０の実施例の吐水装置の断面を表す模式図である。　本実施例の吐水装置は、複数の小穴２２ａが形成され底部内面に爪２２ｂが形成された有底筒状の保持具２２を有する。
使用者は、この保持具２２を容器の口１ａに装着し、粒状、液状あるいは粉状の発泡薬剤１００を収納した密閉容器２９を保持具２２に挿入する。しかる後に蓋２を閉めると、施蓋時に蓋２に形成した突起２ａと爪２２ｂとにより密閉容器２９が挟持破壊され、発泡薬剤１００が液体に投入される。すなわち、施蓋時に密閉空間が形成されると共に密閉容器２９が破壊されて発泡薬剤１００が液体へ投入されて溶解が直ちに開始され、密閉空間が直ちに加圧される。この時、爪２２ｂは、容器１内の液体よりも上に配置されているので、濡れていない。従って、密閉容器２９内に収納された例えば粉状の発泡薬剤１００を、爪２２ｂなどに付着させずに、その自重によって円滑に液体中に投入することができる。つまり、吐水装置を振らなくても、発泡薬剤１００を液体中に投入することが可能である。
【０１７８】
またここで、図４５（ａ）に破線で表したように、密閉容器２９を爪２２ｂから遠ざかる方向へ付勢するバネ２２ｃを、保持具２２内に配設しても良い。このようにすれば、密閉容器２９を保持具２２に挿入する際に、密閉容器２９が誤って爪２２ｂに押し付けられ破壊される事態の発生が防止される。
【０１７９】
そして、気液分離手段６を設けることにより「気液分離作用」が得られ、大きな気泡が混入した気泡流が形成される。またさらに、「吐水揺動作用」により着水位置を時間とともに変化させることができる。その結果として、刺激がある吐水が得られる。また、図１４に関して前述したように、界面活性剤などを適宜配合すると気液分離手段６の作用によって、泡状またはクリーム状の炭酸水を得ることも可能である。
【０１８０】
図４６は、本実施例の変型例の吐水装置の断面を表す模式図である。すなわち、本変形例においては、保持具２２の爪２２ｂは、容器１内に設けられた目盛１′よりも下に設けられている。つまり、爪２２ｂは、容器１１内において液体に水没するように配置されている。
このようにすれば、蓋２を施蓋し爪２２ｂにより密閉容器２９が破壊されると同時に、液体が密閉容器２９の内部に侵入し、発泡薬剤１００の溶解が開始される。つまり、施蓋とほぼ同時に発泡薬剤１００の溶解を開始させることができる。またさらに、例えば、発泡薬剤の一部が爪２２ｂにひっかかって、容器１内に落下しないような場合でも、爪２２ｂが水没しているので、その位置で発泡薬剤１００を溶解させることができる。
【０１８１】
図４７は、本実施例における密閉容器の具体例を表す模式断面図である。
すなわち、密閉容器２９は、容器本体２９Ａと、その上部開口を塞ぐ蓋部２９Ｂと、を有する。容器本体２９Ａは、要求される物理的な強度を満たし、発泡薬剤１００との反応性も低い材料により形成することができる。そのような材料としては、例えば、プラスチックを挙げることができ、より具体的には、ポリエチレン、ポリプロピレン、ＰＶＣ、ＰＥＴ、アクリル、ポリスチレン、紙をはじめとする各種の材料を用いることができる。また、容器本体２９Ａが透明であると、内部状態の確認が容易な点で便利である。また、容器本体２９Ａを変形させたり潰したりして内部の発泡薬剤を放出させるような場合には、容器本体２９Ａを変形が容易な材料により形成すればよい。
【０１８２】
一方、蓋部２９Ｂは、使用時に爪２２ｂにより破壊されるようなシール材により形成する。その材料としては、例えば、アルミラミネート、ナイロンフィルム、ポリエチレンフィルム、ポリエステルフィルムなどを挙げることができる。　また一方、蓋部２９Ｂの少なくとも一部を水溶性の材料により形成してもよい。このようにすれば、爪２２ｂにより破壊しなくても、容器１を施蓋後に吐水装置を逆さにしたり振ったりして水に濡らすことによって、蓋部２９Ｂが溶解し、内部の発泡薬剤を水に溶解させることができる。このような水溶性の材料としては、例えば、オブラートのような可食性材料を挙げることができる。また、蓋部２９Ｂを水溶性の材料により形成すると、吐水装置の使用後に蓋部２９Ｂの残渣が容器１の中に残留するのを防ぐことができる。つまり、蓋部２９Ｂの一部が容器１の中に残留すると、通水路３の中に侵入して「詰まり」の原因になったりするおそれがある。これに対して、蓋部２９Ｂを液体に溶解させれば、このような問題を解消できる。
【０１８３】
この場合、蓋部２９Ｂを、酸に対して溶解しやすい材料により形成してもよい。つまり、容器１の中で発泡薬剤１００を溶解させて得られる炭酸水などの液体に対して、蓋部２９Ｂが溶解しやすいようにしておけば、蓋部２９Ｂの残渣が容器１内に残留することを効果的に防ぐことができる。しかもこの場合、蓋部２９Ｂの材料として、水に対しては溶解しにくいものを選択すれば、密閉容器２９の耐湿性も確保できる。
また、本実施例によれば、密閉容器２９が薬剤フォルダーを形成しているので、濡れた手でも薬剤フォルダーを取り扱えるという利点があり、また薬剤フォルダーを多湿環境下でも保管できるという利点がある。
【０１８４】
一方、密閉容器２９の中に収納する発泡薬剤１００は、前述したような発泡成分やその他の配合成分を含む。また、その形態としては、紛状、顆粒もしくは流状、塊状、あるいは液体状などのいずれでもよい。発泡薬剤の形態を粉状や顆粒状あるいは液体状とすれば、単一の錠剤とした場合よりも溶解性が高く、直ちにガスを発生して使用を開始できる利点がある。さらに、錠剤状にする場合には、成形のために、のり剤や剥離剤などの添加剤が必要であるのに対して、粉状や液体状の場合には、このような添加剤が不要である点でも有利である。
【０１８５】
一方、発泡薬剤を顆粒状あるいは粒状とした場合には、流径をある程度揃えることにより、発泡成分である酸の粒とアルカリの粒との混合比率を所定値に維持しやすいという利点がある。さらに、粉状の場合と比較して、吸湿性が低くなるため、密閉後の安定性が高く、長期の保存にも耐えうるという利点もある。
【０１８６】
また、密閉容器２９の中に、空気層３００を設けることにより、吐水装置の容器１の中を液体で満水状態にしたような場合でも、容器内に空気層を確保できる点で有利である。すなわち、密閉容器２９内に空気層３００を設けることにより、容器１の内部圧力が必要以上に上昇することを防ぐことができる。
【０１８７】
次に、本発明の第１１実施例に係る吐水装置について説明する。
図４８は、本発明の第１１の実施例の吐水装置の断面を表す模式図である。　本実施例の吐水装置も、第１０実施例の吐水装置と同様に、発泡薬剤１００を収容した密閉容器２９を用いる。但し、本実施例の吐水装置は、上下いずれの向きにおいても吐水が可能な構造を有する。
すなわち、容器１の底部（図４８において下方）に保持具２２が設置されている。使用者はまず、この吐水装置を上下逆さまに持ち、底部の蓋９を開ける。そして、容器１に水などの所定の液体を所定量充填した後、保持具２２の中に密閉容器２９を挿入する。その後、蓋９を閉めると、突起９ｂにより密閉容器２９が押圧され、保持具の爪２２ｂにより破壊されて収容されていた発泡薬剤１００が放出されて液体に溶解する。
しかる後に、使用者は、吐水装置を上下任意の方向に向けて発泡水を吐水させ使用することができる。
【０１８８】
本実施例の吐水装置は、図４１に関して前述したものと同様に、通水路３の一部は容器１内で延在し、この延在部分は柔軟なチューブ４０を有している。チューブ４０の先端の近傍には、多孔質セラミック、高比重樹脂焼結体等の多孔質体、樹脂焼結体と重量物の結合体、目の細かな金網等で構成された錘４２が取り付けられている。チューブ４０の他端は蓋２に固定され、通水路３の蓋２内で延在する部分に連通している。
このようにすれば、吐水ノズル８を上にして吐水装置を使用しても、或いは吐水ノズル８を下にして使用しても、或いは吐水ノズル８を横にして使用しても、錘４２が取り付けられたチューブ４０の一端は錘４２に引かれて確実に没水し、吐水ノズル８から確実に気泡流が吐出する。
【０１８９】
なお、本実施例においては、通常の使用に際しては、容器１の底部の蓋９の開閉により液体の充填や密閉容器２９の脱着が可能である。従って、上方の蓋２は、容器１に対して脱着可能とする必要はなく、容器１と蓋２と一体化させて形成してもよい。
また、図４８に表した吐水装置は一例に過ぎず、例えば、保持具２２や密閉容器２９については、第１０実施例に関して前述した各種の具体例や変型例を同様に採用して同様の作用効果を得ることができる。
【０１９０】
図４９は、本実施例の変型例にかかる吐水装置を表す模式図である。すなわち、本変型例においては、蓋９に爪９ｃが設けられている。図４８に関して前述したものと同様に、使用者は、使用に先立ってまず、この吐水装置を上下逆さまに持ち、蓋９を開けて、所定の液体を充填する。しかる後に、保持具２２に、密閉容器２９を挿入する。この際に、密閉容器の蓋部を蓋９に向けた状態に保持具２２に挿入する。そして、蓋９により施蓋すると、爪９ｃにより密閉容器２９の蓋部が破壊され、発泡薬剤と液体とが混合可能な状態とされる。この後、吐水装置を適宜振るなどして発泡薬剤を液体に溶解させ、容器１内が加圧されたら、吐水を開始できる。
【０１９１】
次に、本発明の第１２の実施例に係る吐水装置について説明する。
図５０は、本発明の第１２の実施例の吐水装置の断面を表す模式図である。　本実施例の吐水装置も、第１１及び第１２実施例の吐水装置と同様に、発泡剤１０を収容した密閉容器２９を用いる。但し、本実施例の吐水装置は、上向きに保持した状態で吐水が可能な構造を有する。
すなわち、本実施例の吐水装置においては、液体貯留タンク１の内部に設けられた保持具２２は、タンク１内の底部近傍にまで延在する給水筒２２ｄを有する。また、保持具２２の周壁には小穴（例えば、図２９における小穴２２ａ）は設けられていない。
密閉容器２９は、保持具２２の中に挿入され、蓋２の施蓋の際に押圧されて爪２２ｂにより破壊され、収容されていた発泡剤が放出され、タンク１内の液体に溶解する。その後、図３４に表したように、蓋２を上方に向けた状態のまま、タンク１内の加圧された液体を矢印Ｗで表したように、給水筒２２ｄを介して蓋２の通水路３に流出させることができる。この際に、密閉容器２９の側面に、スペーサ２９Ｓを適宜設けることにより、密閉容器２９と、その周囲の保持具２２の内壁との間に、流出する液体の通路を確保することができる。
本実施例によれば、いわゆる「上向き吐水」が可能であるため、例えば、人体の頭部や顔あるいは上半身や手などに発泡水を噴出塗布する場合などに用いて便利である。またさらに、液体貯留タンク１において、発泡剤の投入口と液体の吐水口とを共通化させているので、タンク１の構造が簡潔であり、製造コストも低いという利点を有する。本実施例の液体貯留タンク１や保持具２２あるいは密閉容器の容器本体などは、例えば、ポリエチレン・テレフタレート（ＰＥＴ）などの材料を用いて延伸ブロー成形などの手法により形成することができる。
【０１９２】
そして、蓋２に気液分離手段６を設けることにより気液分離作用が得られ、気泡の生成と合致が促進され、大きな気泡が混入した気泡流が形成される。その結果として、刺激がある吐水が得られる。また、図１４に関して前述したように、界面活性剤などを適宜配合することにより、気液分離手段６の作用によって、泡状またはクリーム状の炭酸水を得ることも容易となる。
【０１９３】
図５１は、本実施例の変型例にかかる吐水装置を表す模式図である。すなわち、本変型例においては、密閉容器２９は、その蓋部２９Ｂを上向きにした状態で、保持具２２の保持台２２Ｓの上に保持される。そして、蓋２に爪２ｂが設けられ、矢印Ａの方向に施蓋する際に、爪２ｂが蓋部２９Ｂを破壊し、収納されている発泡剤を溶解可能にする。
蓋２の爪２ｂを、例えば、上方から眺めて略十字型の形状としたり、あるいは、爪２ｂをリング状に形成してその中央に貫通穴を設けたりすることにより、発泡剤と液体との混合を円滑に実現することができる。
【０１９４】
次に、本発明の第１３実施例に係る吐水装置について説明する。
図５２は、本発明の第１３の実施例の吐水装置の断面を表す模式図である。　本実施例の吐水装置Ｍにおいては、上方が開放された縦長有底筒状の薬剤フォルダー３９を用いる。そして、図５２（ａ）に表したように、容器１に所定の液体を充填した後、粒状、粉状あるいは液体状の発泡薬剤１００を収納した薬剤フォルダー３９を容器１へ挿入して液体に浮かばせる。その後、施蓋し、図５２（ｂ）に表したように、吐水装置を逆さまにし或いは傾けて、発泡薬剤１００を液体に投入する。両者の反応が直ちに開始され、密閉空間が直ちに加圧される。
【０１９５】
図５２（ａ）に表したように、容器１への挿入浮遊時に、薬剤フォルダー３９の開放端が容器１の口１ａに当接するようにすれば、略直立して浮遊させることも可能である。本実施例の場合、薬剤フォルダー３９は、口１ａに装着するためのフランジ部を有さないので、突起部が無く持ち運びに便利である。
【０１９６】
図５３は、本実施例の変型例を表す模式図である。
すなわち、本変型例の吐水装置においては、同図（ａ）に表したように、薬剤フォルダー３９の開放端が容器１内において、その規定水位１′よりも高くなるように形成されている。そして、薬剤フォルダー３９は、容器１の中において、充填された液体に浮かばず、容器１の底に当接して配置される。
使用時には、図５３（ｂ）に表したように、吐水装置を上下逆さまにし、薬剤フォルダー３９の中の発泡薬剤を容器１内の液体に溶解させることにより、加圧発泡水を吐水させることができる。この時、例えば、図５３（ｂ）に例示した如く、通水路３の取水口を蓋２の周壁あるいは端部などに設けることにより、薬剤フォルダー３９との干渉を避けることができる。つまり、収納容器３９により、通水路３の取水口が塞がれるという問題を回避できる。
【０１９７】
また、本変形例において、図５４（ａ）に例示した如く、薬剤フォルダー３９の上部開放端を斜めにカットすると、図５４（ｂ）に表したように、吐水装置を上下逆さまにした時に、発泡薬剤１００の溶解経路や、通水路３への流出経路を確保することが容易となる。
【０１９８】
または、本変型例において、図５５（ａ）に例示した如く、薬剤フォルダー３９の上部側壁に開口３９ａを設ければ、やはり図５５（ｂ）に表したように、吐水装置を上下逆さまにした時に、発泡薬剤１００の溶解経路や、通水路３への流出経路を確保することが容易となる。
【０１９９】
図５３乃至図５５に表した変型例は、大量の発泡薬剤を投入する場合などに有利である。そして、これら変型例においても、気液分離手段６を設けることにより「気液分離作用」が得られ、大きな気泡が混入した気泡流が形成される。またさらに、「吐水揺動作用」により、着水位置を時間とともに変化させることができる。大量の発泡剤を投入して高濃度の炭酸水を生成した場合には、大量の気泡を生成させた気泡流を気液分離手段６から吐出させることができる。また、図１４に関して前述したように、界面活性剤などを適宜配合すると、気液分離手段６の作用によって、泡状またはクリーム状の炭酸水を得ることも可能である。
【０２００】
次に、本発明の第１４実施例に係る吐水装置について説明する。
図５６は、本発明の第１４実施例の吐水装置の断面を表す模式図である。
本実施例の吐水装置の場合、容器１内の口１ａ近傍部に、有底筒状の薬剤フォルダー保持部１ｂが一体形成あるいは後付け等により配設されている。使用者は、容器１に水を入れた後、粒状、粉状、あるいは液体の発泡薬剤１００を収納した棒状袋状の薬剤フォルダー４９の端部を破き、当該端部を上方へ差し向けた薬剤フォルダー４９を薬剤フォルダー保持部１ｂに保持させる。その後、施蓋して密閉空間を形成し、図５６（ｂ）に表したように、容器を逆さまにし、若しくは傾ければ、発泡薬剤１００が袋４９からこぼれ出し、液体に接触して両者の反応が直ちに開始される。
また、本実施例において、薬剤フォルダー４９を用いる代わりに、粒状、粉状、顆粒状、塊状、あるいは錠剤状の発泡薬剤を保持部１ｂに直接、保持してもよい。
【０２０１】
次に、本発明の第１５の実施例に係る吐水装置について説明する。
図５７は、本発明の第１５実施例の吐水装置の断面を表す模式図である。
本実施例の吐水装置の場合、吐水ノズル８は、突起８ａと、その先端に設けられた開口８ｂとを有する。この開口８ｂが通水路３の開放端となり、発泡水が吐出される。
【０２０２】
このように突起の先端から発泡水を吐出させると、突起の周囲の外気を巻き込みながら吐水され、微細な液滴からなるミスト状の吐水を得ることが容易となる。すなわち、発泡水をスプレー状に噴霧できる。開口８ｂの径を小さくすると、吐水される速度が大きくなり、外気の巻き込みが生じやすくなる。本発明者の検討の結果、開口８ｂの径を例えば０．１ｍｍ乃至０．４ｍｍ程度とすると、ミスト状の吐水が安定して得られた。
【０２０３】
そして、本発明によれば、気液分離手段６により気泡の生成と合致が促進され、図１２に関して前述したように、大きな気泡を含有した発泡水が形成される。このような発泡水を開口８ｂから吐出させると、液層と空気層が交互に吐出されるため、ミストをパルス状に噴霧させることも可能となる。ミストをパルス状に噴霧させると、より微細な液滴が得られたり、また、スプレー吐水でありながら、適度な刺激が得られるという効果が生ずる。従って、例えば、顔やボディケアのための炭酸水の吐水に際して、ソフトなマッサージ効果が得られ、また同時にミスト状に噴霧させるので、均一で適量の噴霧が容易となる。従って、皮膚の表面での「水たれ」などが嫌われる場合に用いて特に効果的である。
【０２０４】
なお、図５７には、図１に表したものと類似した構成の吐水装置に突起８ａ及び開口８ｂを設けた具体例を表したが本発明はこれには限定されない。すなわち、本実施例における突起８ａ及び開口８ｂは、本発明が包含する全ての吐水装置に設けて、同様にミスト状の吐水を形成することができる。
【０２０５】
また、ミスト状の吐水を得るための吐水部の構造についても、図４１に例示したもの以外の公知のものを用いて同様の作用効果が得られる。例えば、吐水部として、吐水口となる開口を設けた板状部材を用いることができる。この場合、その部材を吐水側から見て反対側の主面上において、複数の溝を開口に向けて集束するように渦巻き状に設けると、ミスト状の吐水を容易に得ることができる。
【０２０６】
次に、本発明の第１６の実施例として、いわゆる「エアゾール缶」タイプの吐水装置について説明する。
図５８は、本実施例の吐水装置の断面構造を例示する模式図である。
すなわち、本実施例においては、容器１と蓋２とが固定的あるいは半固定的に封止され、その中に炭酸水が加圧された状態で充填されている。または、容器１と蓋２とが明瞭に区別されず、これらが一体となった密閉タンクを用いてもよい。使用者は、開閉弁４を開けることにより、直ちにノズル８から炭酸水を吐出させ使用することができる。このような使い切り型の「エアゾール缶」の場合、使用者が水や発泡薬剤を充填することにより再使用することはできないが、これら充填の手間を省いて、手軽に炭酸水を吐出させることができる点で便利である。
【０２０７】
そして、本発明によれば、吐水端部に気液分離手段６を設けることにより「気液分離作用」が得られ、図１２に関して前述したように炭酸水に気泡を適度に混入させることができる。その結果として、吐水の刺激感が高く、マッサージ効果や結構促進効果、あるいは洗浄効果を促進させることができる。またさらに、「吐水揺動作用」により、着水位置を時間とともに変化させることもでき、刺激感やマッサージ効果をさらに高めることができる。
また、気液分離手段６を設けることにより、図１４に関して前述したように、界面活性剤などを適宜配合して泡状またはクリーム状の炭酸水を得ることもでき、炭酸ガスの効果が長時間にわたって持続させることが可能となる。
【０２０８】
また、「気液分離作用」により炭酸水に気泡を混入させ、その結果として、気泡を混入させない場合よりも少ない吐水量で、高いマッサージ効果や血行促進効果、洗浄効果などを得ることが可能となる。同時に、「吐水揺動作用」により、広範囲に均等に吐水することが容易となる。その結果として、吐水の「ムラ」を低減し、限られた量の加圧水を効率的に使用することができる。つまり、炭酸水の使用量を抑えることができるので、長時間使用することができる。この効果は、エアゾール缶のような使い切り型の吐水装置の場合に、特に有利である。
【０２０９】
次に、本発明の第１７の実施例として、ガスボンベにより加圧して炭酸水を生成する吐水装置について説明する。
図５９は、本実施例の吐水装置の断面構造を例示する模式図である。
すなわち、本実施例においては、発泡薬剤の代わりに炭酸ガスを充填したボンベ７０を用いて炭酸水を生成する。ガスボンベ７０は、ボンベ本体７１と蓋７２とにより封止された密閉空間を有し、この中に、炭酸ガスなどの所定のガスが充填されている。蓋７２には、バルブ７４が設けられ、バネ７６によって、閉状態に付勢されている。
【０２１０】
一方、吐水装置の本体においては、容器１の底部に接続口１ｃが設けられ、バルブ２１により常時閉状態に維持されている。炭酸水の生成に際しては、使用者は、ガスボンベ７０を吐水装置の接続口１ｃに結合する。これらを結合すると、ガスボンベ７０のバルブトップ７８と、接続口１ｃのバルブトップ２１ａとが互いに後退して、これらバルブが開状態となる。このようにして、吐水装置の容器１に充填した水をガスボンベ７０の炭酸ガスにより加圧して炭酸水を生成できる。炭酸水を使い切ったら、容器１内に再び水を充填し、炭酸ガスが充填されたガスボンベ７０を接続することにより、再び使用することができる。
【０２１１】
そして、本発明によれば、吐水端部に気液分離手段６を設けることにより、図１２に関して前述したように炭酸水に気泡を適度に混入させ、その結果として、吐水の刺激感が高く、マッサージ効果や結構促進効果、あるいは洗浄効果を促進させることができる。また、「吐水揺動作用」により、着水位置を時間とともに変化させ、刺激感やマッサージ効果をさらに高めることかできる。
また、気液分離手段６を設けることにより、界面活性剤などを適宜配合すると、図１４に関して前述したように、泡状またはクリーム状の炭酸水を得ることもでき、炭酸ガスの効果が長時間にわたって持続させることが可能となる。
【０２１２】
次に、本発明の第１８の実施例として、頭髪や頭皮などに発泡水を適用するために用いて特に好適な吐水装置について説明する。
すなわち、第１乃至第１７実施例に関して前述したような本発明の吐水装置を用いて、頭髪や頭皮などに発泡水を適用する吐水装置を構成することができる。吐水端部に気液分離手段６を設けて、「気液分離作用」と「吐水揺動作用」とを実現させることにより、気泡流による刺激がさらに増加し、発泡水による血行促進やマッサージ効果が高まると同時に、使用者の快適感が増加する。
【０２１３】
またさらに、図１４に関して前述したように、気液分離手段６の発泡作用によって炭酸水が泡状あるいはクリーム状に形成されるような場合にも、吐水口８８ｄを頭皮に接近させることにより、確実にこれら泡状またはクリーム状の炭酸水を頭皮に塗布することができる。
【０２１４】
ここで、発泡成分の他に、いわゆるヘアケア用として、発泡薬剤あるいは液体の少なくともいずれかに添加することができる成分の一例を以下に列挙する。
【０２１５】
殺菌、防腐剤：安息香酸およびその塩類、イソプロピルメチルフエノール、ウンデシレン酸およびその塩類、ウンデシレン酸モノエタノールアミド、塩化ベンザルコニウム、塩化ベンゼトニウム、塩化アルキルジアミノエチルグリシン、塩酸クロルヘキシジン、オルトフェニルフェノール、グルコン酸クロルヘキシジン、クレゾール、クロラミンＴ、クロルキシレノール、クロルクレゾール、クロルフェネシン、クロロブタノール、サリチル酸およびその塩類、臭化アルキルイソキノリニウム、臭化ドミフェン、ソルビン酸およびその塩類、チモール、チラム、デヒドロ酢酸およぴその塩類、トリクロサン、トリクロロカルバニリド、バラオキシ安息香酸エステル、バラクロルフェノール、ハロカルバン、フェノール．ヘキサクロロフェン、ラウロイルサルコシンナトリウム、レゾルシンなど。
【０２１６】
紫外線吸収剤：オキシベンゾン、サリチル酸フェニル、シノキサート、パラアミノ安息香酸エステル、２−（２−ヒドロキシー５−メチルフェニル）−ペンゾトリアゾールなど。
【０２１７】
ホルモン類：各種ホルモン。
酸化防止剤：カテコール、ジブチルヒドロキシトルエン、ピロガロ−ル、ブチルヒドロキシアニソール、没食子酸プロピルなど。
ビタミン類：酢酸−ｄｌ−α−トコフェロール、ｄｌ−α−トコフェロール、ニコチン酸ベンジルなど。
抗ヒスタミン剤、消炎剤：塩酸ジフェンヒドラミン、グアイアズレン、グアイアズレンスルホン酸ナトリウムなど。
毛根刺激剤：カンタリスチンキ、ショウキョウチンキ、トウガラシチンキ、ノニル酸バニリルアミドなど。
【０２１８】
収斂剤：イクタモール、パラフェノールスルホン酸亜鉛など。
酵素類：塩化リゾチウムなど。
多価アルコール類、保湿剤：プロピレングリコール、ポリエチレングリコールなど。
金属イオン封鎖剤：エデト酸およびその塩類など。
アニオン界面活性剤：セチル硫酸ナトリウム、直鎖型アルキルベンゼンスルホン酸ナトリウム、ポリオキシエチレン、ラウリルエーテル硫酸塩類、ラウリル硫酸塩類など。
カチオン界面活性剤：塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ラウリルトリメチルアンニウム、臭化セチルトリメチルアンモニウムなど。
【０２１９】
アルカリ剤：ジイソプロパノールアミン、ジエタノールアミン、トリイソプロパノールアミン、トリエタノールアミンなど。
ロウ、高分子化合物、ゴム質：セラミック、天然ゴムラテックス、トラガントロジンなど。
油　分　ｏｉｌ　ｃｏｍｐｏｎｅｎｔｓ：酢酸ポリオキシエチレンラノリンアルコール、酢酸ラノリン、酢酸ラノリンアルコール、ステアリルアルコール、セタノール、セトステアリルアルコール、ベンジルアルコール、ポリオキシエチレンラノリン、ポリオキシエチレンラノリンアルコール、ミリスチン酸イソプロピル、ラノリン、液状ラノリン、還元ラノリン、硬質ラノリン、ラノリンアルコール．水素添加ラノリンアルコール、ラノリン脂肪酸イソプロピル、ラノリン脂肪酸ポリエチレングリコールなど。
その他、赤色２号、黄色２０１号など各種の色素を配合してもよい。
【０２２０】
次に、本発明の第１９の実施例として、口腔内の使用に特に適した吐水装置について説明する。
図６０は、本実施例の吐水装置を表す模式図である。すなわち、同図（ａ）はその全体図、同図（ｂ）は矢印Ａからみた一部拡大図である。
本実施例の吐水装置も、容器９１と蓋９２とを備える。蓋９２には、操作スイッチ９５が設けられ、さらに、上方に延在したヘッド９８が設けられている。ヘッド９８の先端には、発泡水を吐出する気液分離手段６が設けられている。気液分離手段がヘッド９８の先端に設けられた点を除けば、容器９１及び蓋９２の内部の具体的に構造としては、第１乃至第１５実施例に関して前述した各種のものを採用することができる。なお、同図に表した具体例においては単一の気液分離手段６が設けられているが、本発明はこれに限定されるものではなく、ヘッド９８の先端に複数の吐水口を有する気液分離手段６を設けてもよい。
【０２２１】
使用者は、ヘッド９８の先端部を口腔内の所望の位置に配置し、操作スイッチ９５を押圧することにより、気液分離手段６の吐水口から発泡水を噴出させることができる。気液分離手段６の作用によって生成された気泡が含有する炭酸ガス及びその他の有効成分により、歯茎や口腔内壁の血行促進、虫歯に対する静菌作用、歯垢の分解除去、歯槽膿漏や口臭の予防・除去などの効果が得られる。また同時に「吐水揺動作用」により、刺激感やマッサージ効果も高めることができる。
【０２２２】
本実施例においては、発泡成分の他に、容器９１に投入する発泡薬剤または液体の少なくともいずれかに以下の薬剤を配合することができる。
【０２２３】
虫歯の予防を目的として、例えば、殺菌剤や各種のフッ化物など。
歯槽膿漏や歯肉炎の予防を目的として、例えば、デキストラナーゼ、ムタナーゼ、ムタステインなどの酵素剤や、塩化リゾチーム、トラネキサム酸、アズノール、アラントイン、カミツレチンキ、ラタニアチンキ、ミルラチンキなどの抗炎症剤など。
口腔の洗浄や消毒、口臭除去を目的として、例えば、グルコン酸クロルヘキシジンなどの殺菌剤や、ポリオキシエチレン硬化ヒマシ油、ラウリル硫酸ナトリウム、エチルアルコールなどの溶解補助剤など、
湿潤剤（保湿剤）として、例えば、グリセリン、ソルビトール、ポリエチレングリコール、プロピレングリコールなど。
【０２２４】
最後に、本発明の第２０の実施例として、本発明の吐水装置を用いたフェイスケアあるいはボディケアの方法の一例を紹介する。
図１３に関して前述したように、本発明においては、多量の発泡薬剤を投入して容器１の内圧を高め、液体中への炭酸ガスの溶解量を増加させ、高い濃度の炭酸水を吐出させることができる。その結果として、炭酸ガスなどの有効成分を高い濃度で含んだ発泡水を長時間に亘って吐出させることができる。例えば、炭酸ガスを発生させる場合には、本発明の吐水装置によれば、炭酸泉の濃度である１０００ｐｐｍを超え、３０００ｐｐｍ以上の炭酸水を吐出させることも可能である。
【０２２５】
そして、本発明によれば、気液分離手段６が有する「気液分離作用」により、図１２に関して前述したように、このような高濃度の炭酸水において気泡の生成と合致を促進させ、適度に気泡が混入された気泡流を形成し、物理的な振動による刺激を被処理部位に与えることができる。
またさらに、気液分離手段６が有する「吐水揺動作用」により、図１８に関して前述したように、着水位置を時間とともに変化させることができる。その結果として、刺激感やマッサージ効果をさらに高めることができる。また同時に、広い範囲に亘って、均一に吐水することが容易となる。その結果として、発泡水の塗布の「ムラ」を防ぐことができ、限られた量の加圧水を有効に使用することができるという効果も得られる。
【０２２６】
またさらに、図１４に関して前述したように、界面活性剤などを適宜配合すると、泡状またはクリーム状の炭酸水を得ることも可能となる。
【０２２７】
このような高濃度の炭酸ガスを含有する気泡流、泡状またはクリーム状の炭酸水は、血管拡張作用による血行促進効果が著しい。従って、温熱効果が得られ、冷え性などを低減できる。さらにまた、各種の薬効成分を配合した場合の浸透効果も高い。一方、高濃度の炭酸水は、皮膚のターンオーバーを促進し、美白効果や皺の低減除去にも効果を有する。
【０２２８】
また、高濃度の炭酸水は、酸性水であるため、皮膚の角質を除去するピーリング効果も得られ、同時に、静菌作用やアストリンゼント効果も得られる。気液分離手段６により多数の気泡を含有させることにより、これら効果が促進される。このような発泡水または泡状あるいはクリーム状の炭酸水は、顔や手足あるいはその他の身体の部位に直接的に噴射してもよく、または、天然パルプやコットンなどの素材からなるパック材にしみ込ませて所定の部位にあてがうように用いてもよい。
【０２２９】
本発明の吐水装置を用いて、主に美容効果を目的とした気泡流あるいは泡状、クリーム状の炭酸水を形成する場合には、発泡成分の他に、容器１に投入する発泡薬剤または液体の少なくともいずれかに以下の薬剤を配合することができる。
【０２３０】
洗浄剤あるいは界面活性剤：アニオン界面活性剤としては、例えば、石鹸、アルキルベンゼンスルホン酸、Ｎ−アシルグルタミン酸塩など。カチオン界面活性剤としては、例えば、塩化ベンザルコニウム、塩化ジステアリルジメチルアンモニウムなど。両性界面活性剤としては、例えば、塩酸アルキルジアミノエチルグリシン、ラウリルジメチルアミノ酢酸ベタインなど。
収斂剤（発汗を抑制することができる）：クエン酸、酒石酸、乳酸などのアニオン系収斂剤。アルミニウム塩などのカチオン系収斂剤。エタノールなどの非イオン系収斂剤。
湿潤剤（保湿剤）：グリセリン、コラーゲン、ヒアルロン酸、エラスチン、ポリエチレングリコール、プロピレングリコール、ソルビトール、１、３−ブチレングリコール、ｄｌ−ピロリドンカルボン酸、乳酸ナトリウム、尿素、尿酸、ヒロリドンカルボン酸ナトリウム、レシチン、ヘパリノイドなど。
【０２３１】
以上具体例を参照しつつ本発明の実施の形態について説明した。しかし、本発明は、これらの具体例に限定されるものではない。
すなわち、本発明の吐水装置を構成する要素について当業者が設計変更を加えたものであっても、本発明の要旨を備えたものであれば、本発明の範囲に包含される。
【０２３２】
例えば、第１乃至第１８実施例として前述した各具体例が有する要素のいずれかを適宜抽出し、新たなに組み合わせたものも本発明の範囲に包含される。
また、本発明は薬剤を投入して容器内を加圧し、加圧水を吐水する加圧吐水装置に関し記載したが、その効果は密閉容器にあらかじめガスを充填した容器から加圧水を吐水するものに関しても同様な効果が得られることはいうまでもない。
【０２３３】
また、減圧装置７としては、ゴムなどの弾性体を用いたもの、ダイアフラムを用いたもの、バネを用いたもの、多孔質を用いたものなど、当業者が減圧手段として採用しうる全てのものを包含する。
【０２３４】
【発明の効果】
以上詳述したように、本発明によれば、吐水端部に、「気液分離作用」と「吐水揺動作用」とを併せ持つ気液分離手段を設けることによって、炭酸水などの加圧液体中に気泡を発生させ、簡単な機構によって加圧液体中に含まれる気泡径を制御し、且つ着水位置を時間とともに変化させることができる。この結果として、刺激があり、血行促進効果や、洗浄感、洗浄力が向上し、炭酸ガスなどによる各種の効果を高めることができる吐水装置を提供することができる。
【図面の簡単な説明】
【図１】本発明の加圧吐水装置の全体構成を概念的に表す模式図である。
【図２】気液分離作用を得るための第１具体例を示す上面図および断面図である。
【図３】気液分離作用を得るための第２具体例を示す上面図および断面図である。
【図４】気液分離作用を得るための第３具体例を示す上面図および断面図である。
【図５】気液分離作用を得るための第４具体例を示す上面図および断面図である。
【図６】気液分離作用を得るための第５具体例を示す断面図である。
【図７】気液分離作用を得るための第６具体例を示す上面図および断面図である。
【図８】気液分離作用を得るための第７具体例を表す要部断面図である。
【図９】回転体１７を設けた場合の吐水量（流量）に対する気泡径の一般的な依存性を表すグラフ図である。
【図１０】気液分離作用を得るための第８具体例を表す要部断面図である。
【図１１】気液分離作用をえるための第９具体例を表す要部断面図である。
【図１２】本発明における気液分離手段６の効果を説明するための模式図である。
【図１３】圧力と炭酸ガスの溶解量との関係を表すグラフ図である。
【図１４】気液分離手段６によって得られる泡状の炭酸水の作用を説明するための概念図である。
【図１５】「気液分離作用」と「吐水揺動作用」とを併せ持つ気液分離手段６の横方向断面図及びＡ−Ａ線断面図である。
【図１６】旋回室４０４に炭酸水が流入してからの受力部位４１２の挙動とこの受力部位４１２にかかる力の様子を時間経過に沿って説明する説明図である。
【図１７】気液分離手段６からの吐水の様子を説明する説明図である。
【図１８】第１具体例の気液分離手段６から吐出される炭酸水の状態を模式的に表した図である。
【図１９】第２具体例の気液分離手段６の横方向断面図及び縦方向断面図である。
【図２０】受力体４２０を用いた気液分離手段６からの炭酸水の吐水の様子を説明する説明図である。
【図２１】受力体４２０の自転軸に対して垂直方向の断面を例示する模式図である。
【図２２】第３具体例の気液分離手段を表す縦断面図である。
【図２３】第３具体例の気液分離手段の要部拡大図である。
【図２４】第３具体例の気液分離手段６がもたらす効果を説明するための説明図である。
【図２５】変形例の気液分離手段が有する弾性体４２４と受力体４２２を表す説明国である。
【図２６】（ａ）は、第４具体例の気液分離手段６の縦断面図であり、（ｂ）は、その受力体４２２を下方から眺めた模式図である。
【図２７】第５具体例の気液分離手段６の横方向断面図及び縦方向断面図である。
【図２８】第５具体例の吐水ノズルからの炭酸水の吐水の様子を説明する説明図である。
【図２９】第６具体例の気液分離手段６の横方向断面図及び縦方向断面図である。
【図３０】第６具体例の気液分離手段からの炭酸水の吐水の様子を説明する説明図である。
【図３１】本発明の第１の実施例にかかる吐水装置の断面構造を表す模式図である。
【図３２】第１実施例の吐水装置の使用方法を説明するための模式図である。
【図３３】薬剤フォルダーの他の具体例を表す模式断面図である。
【図３４】本発明の第２の実施例の吐水装置の断面を表す模式図である。
【図３５】本発明の第３の実施例の吐水装置の断面を表す模式図である。
【図３６】本発明の第４の実施例の吐水装置の断面を表す模式図である。
【図３７】本発明の第５の実施例の吐水装置の断面を表す模式図である。
【図３８】本発明の第６の実施例の吐水装置の断面を表す模式図である。
【図３９】本発明の第７の実施例の吐水装置の断面を表す模式図である。
【図４０】本発明の第８の実施例の吐水装置の断面を表す模式図である。
【図４１】第８実施例の変型例を表す模式図である。
【図４２】容器１内に延在するチューブの先端付近の変型例を表す模式断面図である。
【図４３】本発明の第９の実施例の吐水装置の断面を表す模式図である。
【図４４】第９実施例の吐水装置の使用方法を説明する模式図である。
【図４５】本発明の第１０の実施例の吐水装置の断面を表す模式図である。
【図４６】第１０実施例の変型例の吐水装置の断面を表す模式図である。
【図４７】第１０実施例における密閉容器の具体例を表す模式断面図である。
【図４８】本発明の第１１実施例の吐水装置の断面を表す模式図である。
【図４９】第１１実施例の変型例の吐水装置の断面を表す模式図である。
【図５０】本発明の第１２の実施例の吐水装置の断面を表す模式図である。
【図５１】本実施例の変型例にかかる吐水装置を表す模式図である。
【図５２】本発明の第１３の実施例にかかる吐水装置の断面を表す模式図である。
【図５３】第１３実施例の変型例の吐水装置の断面を表す模式図である。
【図５４】第１３実施例の変型例の吐水装置の断面を表す模式図である。
【図５５】第１３実施例の変型例の吐水装置の断面を表す模式図である。
【図５６】本発明の第１４実施例の吐水装置を例示する断面図である。
【図５７】本発明の第１５実施例の吐水装置を例示する断面図である。
【図５８】本発明の第１６実施例の吐水装置を例示する断面図である。
【図５９】本発明の第１７実施例の吐水装置を例示する断面図である。
【図６０】本発明の第１９実施例の吐水装置を表す模式図である。
【符号の説明】
１　　容器
２　　蓋
３　　通水路
４　　開閉弁
５　　操作スイッチ
６　　気液分離手段
７　　定流量弁
８　　ノズル
９　　薬剤フォルダー
１０　液体流入口
１１　液体流入室
１２　液体吐出口
１３　液体吐出口Ａ
１４　液体吐出口Ｂ
１５　切り替え手段
１６　突起
１７〜１９　回転体
２０　遮蔽体
５２　リング
５３　ストッパー
４０　チューブ
４２　錘
４４　浮体
８０　吐水ヘッド
８１　容器
８２　蓋
８５　操作スイッチ
８８　ヘッド
８８ｄ　吐水口
８８ｅ　可撓性突起体
９１　容器
９２　蓋
９５　操作スイッチ
９８　ヘッド
９８ｄ　吐水口
１００　発泡薬剤
１１０　発泡水
１１０Ａ　気泡
１１０Ｂ　発泡水の皮膜
２００　人体
４０２　通水路
４０３　旋回室流入路
４０４　旋回室
４０４ａ　周壁部位
４０４ｂ　周壁部位
４１０　受力体
４１０ａ　吐水部位
４１１　吐水口
４１２　受力部位
４１３　給水管路
４１５　テーパガイド部
４１６　シール部
４２０　受力体
４２０ａ　吐水部位
４２２　受力部位
【図１】
2004000579.tif 000003
【図２】
2004000579.tif 000004
【図３】
2004000579.tif 000005
【図４】
2004000579.tif 000006
【図５】
2004000579.tif 000007
【図６】
2004000579.tif 000008
【図７】
2004000579.tif 000009
【図８】
2004000579.tif 000010
【図９】
2004000579.tif 000011
【図１０】
2004000579.tif 000012
【図１１】
2004000579.tif 000013
【図１２】
2004000579.tif 000014
【図１３】
2004000579.tif 000015
【図１４】
2004000579.tif 000016
【図１５】
2004000579.tif 000017
【図１６】
2004000579.tif 000018
【図１７】
2004000579.tif 000019
【図１８】
2004000579.tif 000020
【図１９】
2004000579.tif 000021
【図２０】
2004000579.tif 000022
【図２１】
2004000579.tif 000023
【図２２】
2004000579.tif 000024
【図２３】
2004000579.tif 000025
【図２４】
2004000579.tif 000026
【図２５】
2004000579.tif 000027
【図２６】
2004000579.tif 000028
【図２７】
2004000579.tif 000029
【図２８】
2004000579.tif 000030
【図２９】
2004000579.tif 000031
【図３０】
2004000579.tif 000032
【図３１】
2004000579.tif 000033
【図３２】
2004000579.tif 000034
【図３３】
2004000579.tif 000035
【図３４】
2004000579.tif 000036
【図３５】
2004000579.tif 000037
【図３６】
2004000579.tif 000038
【図３７】
2004000579.tif 000039
【図３８】
2004000579.tif 000040
【図３９】
2004000579.tif 000041
【図４０】
2004000579.tif 000042
【図４１】
2004000579.tif 000043
【図４２】
2004000579.tif 000044
【図４３】
2004000579.tif 000045
【図４４】
2004000579.tif 000046
【図４５】
2004000579.tif 000047
【図４６】
2004000579.tif 000048
【図４７】
2004000579.tif 000049
【図４８】
2004000579.tif 000050
【図４９】
2004000579.tif 000051
【図５０】
2004000579.tif 000052
【図５１】
2004000579.tif 000053
【図５２】
2004000579.tif 000054
【図５３】
2004000579.tif 000055
【図５４】
2004000579.tif 000056
【図５５】
2004000579.tif 000057
【図５６】
2004000579.tif 000058
【図５７】
2004000579.tif 000059
【図５８】
2004000579.tif 000060
【図５９】
2004000579.tif 000061
【図６０】
2004000579.tif 000062